(57)【要約】【課題】  ユーザが特別に意識することなく、直感的、効果的、そして正確にメモリ空き容量を把握することができるメモリ空き容量報知機能付き電子機器及び報知方法を提供する。【解決手段】  携帯電話装置１００は、メモリ空き容量の変化に係る機能を実行することにより、ユーザデータの記憶又は削除が完了したか否かを判断する。ユーザデータの記憶又は削除が完了していれば、メモリ１０５のメモリ空き容量に応じて制御回路部１１２により決定される発光色を用いて、ＬＥＤ部１０８が一定時間発光することによりユーザにメモリ空き容量を報知する。一方、携帯電話装置１００が待受け状態であれば、ＬＥＤ部１０８が、メモリ１０５のメモリ空き容量を報知するために前回発光してから、メモリ空き容量に応じた所定時間が経過したか否かを判断し、所定時間が経過していればメモリ空き容量に応じた発光を行なう。【選択図】      図３
2005286476.tif 000002
【特許請求の範囲】
【請求項１】
メモリに記憶可能なメモリ空き容量を報知する電子機器であって、
前記メモリ空き容量を視覚的に報知する報知手段を有し、
前記メモリ空き容量の検出結果に基づいて、前回報知以降の前記報知手段の報知タイミングが変化することを特徴とする電子機器。
【請求項２】
前記メモリ空き容量が変化することにより、前記報知手段の報知するタイミングが変化することを特徴とする請求項１に記載の電子機器。
【請求項３】
前記メモリ空き容量の値が、第１のメモリ容量範囲内から第２のメモリ容量範囲内に変化することにより、前記報知手段の報知するタイミングが変化することを特徴とする請求項１又は請求項２に記載の電子機器。
【請求項４】
前記メモリ空き容量の値が、第１のメモリ容量範囲内から第２のメモリ容量範囲内に変化したときのみ、前記報知手段が報知することを特徴とする請求項３に記載の電子機器。
【請求項５】
前記メモリ空き容量が減少することにより、前記報知手段の報知するタイミングが短くなることを特徴とする請求項１乃至請求項３のいずれかに記載の電子機器。
【請求項６】
前記メモリ空き容量が増加することにより、前記報知手段の報知するタイミングが長くなることを特徴とする請求項１乃至請求項３のいずれかに記載の電子機器。
【請求項７】
メモリに記憶可能なメモリ空き容量を報知する電子機器であって、
前記メモリ空き容量の検出結果に基づいて、前記メモリ空き容量を視覚的に報知する報知手段を有し、
前記メモリ空き容量に応じて、前記検出以降の前記メモリ空き容量を検出するタイミングが変化することを特徴とする電子機器。
【請求項８】
前記メモリ空き容量が変化することにより、前記検出以降の前記メモリ空き容量を検出するタイミングが変化することを特徴とする請求項７に記載の電子機器。
【請求項９】
前記メモリ空き容量の値が、第１のメモリ容量範囲内から第２のメモリ容量範囲内に変化することにより、前記検出以降の前記メモリ空き容量を検出するタイミングが変化することを特徴とする請求項７又は請求項８に記載の電子機器。
【請求項１０】
前記メモリ空き容量が減少することにより、前記検出以降の前記メモリ空き容量を検出するタイミングが短くなることを特徴とする請求項１乃至請求項９のいずれかに記載の電子機器。
【請求項１１】
前記メモリ空き容量が増加することにより、前記検出以降の前記メモリ空き容量を検出するタイミングが長くなることを特徴とする請求項１乃至請求項１０のいずれかに記載の電子機器。
【請求項１２】
メモリに記憶可能なメモリ空き容量を報知する電子機器であって、
前記メモリ空き容量を報知する報知手段を有し、
前記メモリ空き容量の検出結果に基づいて、前記報知手段が一定時間毎に報知することを特徴とする電子機器。
【請求項１３】
メモリに記憶可能なメモリ空き容量を報知する電子機器であって、
前記メモリ空き容量を報知する複数の報知手段を有し、
前記メモリ空き容量の検出結果に基づいて、前記報知手段が変更されることを特徴とする電子機器。
【請求項１４】
メモリに記憶可能なメモリ空き容量を報知する電子機器であって、
前記メモリ空き容量を報知する報知手段を有し、
前記電子機器の状態の変化を検出することにより、前記報知手段が報知することを特徴とする電子機器。
【請求項１５】
前記状態の変化は、前記電子機器がスタンバイ状態から通常使用状態へ変化することにより検出されることを特徴とする請求項１４に記載の電子機器。
【請求項１６】
前記状態の変化は、前記電子機器が電源投入されることにより検出されることを特徴とする請求項１４に記載の電子機器。
【請求項１７】
前記メモリに記憶するデータを取得するデータ取得手段を有することを特徴とする請求項１乃至請求項１６に記載の電子機器。
【請求項１８】
メモリに記憶可能なメモリ空き容量を報知する電子機器であって、
前記メモリに記憶するデータを取得する複数のデータ取得手段と、
前記メモリ空き容量を報知する報知手段とを有し、
前記複数のデータ取得手段のうち、現在使用中のデータ取得手段に割り当てられたメモリ容量のメモリ空き容量のみを前記報知手段が報知することを特徴とする電子機器。
【請求項１９】
前記報知手段は、所定時間だけ報知することを特徴とする請求項１乃至請求項１８のいずれかに記載の電子機器。
【請求項２０】
前記所定時間は、前記メモリ空き容量に応じて変化することを特徴とする請求項１９に記載の電子機器。
【請求項２１】
前記報知手段が報知する機能のON／OFFを選択できる選択手段を有することを特徴とする請求項１乃至請求項２０のいずれかに記載の電子機器。
【請求項２２】
前記報知手段は、多色発光可能である発光手段からなり、
前記発光手段は、前記データ空き容量に応じて、発光色が変化することを特徴とする請求項１乃至請求項２１のいずれかに記載の電子機器。
【請求項２３】
前記発光手段は、前記メモリ空き容量の値が、第１のメモリ容量範囲内から第２のメモリ容量範囲内に変化することにより、前記発光色が変化することを特徴とする請求項２２に記載の電子機器。
【請求項２４】
前記発光手段は、前記メモリ空き容量の値が所定のメモリ容量範囲内である限り、前記発光色が変化しないことを特徴とする請求項２２又は請求項２３に記載の電子機器。
【請求項２５】
前記発光手段は、前記メモリ空き容量に基づいて、発光面積が変化することを特徴とする請求項２２乃至請求項２４のいずれかに記載の電子機器。
【請求項２６】
前記発光手段は、前記発光色で点灯することを特徴とする請求項２２乃至請求項２５のいずれかに記載の電子機器。
【請求項２７】
前記発光手段は、前記発光色で点滅することを特徴とする請求項２２乃至請求項２５のいずれかに記載の電子機器。
【請求項２８】
前記発光手段は、前記発光色が変化しない場合であっても、さらに、前記メモリ空き容量に応じて、前記発光色の点滅タイミングが変化することを特徴とする請求項２７に記載の電子機器。
【請求項２９】
前記発光手段は、前記データ取得手段の種類に応じて、前記発光色の点滅タイミングが変化することを特徴とする請求項２７又は請求項２８に記載の電子機器。
【請求項３０】
前記発光手段は、前記発光色の変化に応じて、前記発光色の点滅タイミングが変化することを特徴とする請求項２７乃至請求項２９のいずれかに記載の電子機器。
【請求項３１】
前記発光手段は、発光ダイオードであることを特徴とする請求項請求項２２乃至請求項３０のいずれかに記載の電子機器。
【請求項３２】
前記発光手段は、カラー液晶表示パネルであることを特徴とする請求項２２乃至請求項３０のいずれかに記載の電子機器。
【請求項３３】
前記発光手段は、カラー有機エレクトロルミネッセンスパネルであることを特徴とする請求項２２乃至請求項３２に記載の電子機器。
【請求項３４】
振動手段を含み、前記メモリ空き容量に応じて決定される振動パターンを用いて前記振動手段が振動することにより報知を行なうことを特徴とする請求項２２乃至請求項３３に記載の電子機器。
【請求項３５】
前記振動手段は、前記電子機器に内蔵されるバイブレータであることを特徴とする請求項３４に記載の電子機器。
【請求項３６】
音声出力手段を含み、前記メモリ空き容量に応じて決定される音量を用いて前記音声出力手段が音声出力することにより報知を行なうことを特徴とする請求項２２乃至請求項３５のいずれかに記載の電子機器。
【請求項３７】
音声出力手段を含み、前記データ空き容量に応じて決定される音声データを用いて前記音声出力手段が音声出力することにより報知を行なうことを特徴とする請求項２２乃至請求項３６のいずれかに記載の電子機器。
【請求項３８】
前記報知手段は、表示手段を含み、前記表示手段が、前記メモリ空き容量に応じたメッセージを表示することを特徴とする請求項１乃至請求項３７のいずれかに記載の電子機器。
【請求項３９】
前記報知手段は、表示手段を含み、前記表示手段が、前記データ空き容量に応じたアイコンを表示することを特徴とする請求項１乃至請求項３８のいずれかに記載の電子機器。
【請求項４０】
前記報知手段は、表示手段を含み、前記表示手段が、前記データ空き容量から算出されるデータ記憶可能件数を表示することを特徴とする請求項１乃至請求項３９のいずれかに記載の電子機器。
【請求項４１】
前記データ取得手段毎に、前記データ空き容量を前記データ取得手段に係るデータの平均データ容量で減算することにより、前記データ取得手段毎に前記データ記憶可能件数を算出することを特徴とする請求項４０に記載の電子機器。
【請求項４２】
前記データ取得手段毎に、前記データ空き容量を前記データ取得手段に係るデータの最大データ容量で減算することにより、前記データ取得手段毎に前記データ記憶可能件数を算出することを特徴とする請求項４０に記載の電子機器。
【請求項４３】
通信手段を有し、前記データ取得手段は、前記通信手段により電子メールを送受信する電子メール機能を有する電子メール手段を含むことを特徴とする請求項１乃至請求項４２のいずれかに記載の電子機器。
【請求項４４】
通信手段を有し、前記データ取得手段は、前記通信手段によりサーバに接続し、サーバ上に存在するデータをダウンロードするダウンロード機能を有するサーバ接続手段を含むことを特徴とする請求項１乃至請求項４３のいずれかに記載の電子機器。
【請求項４５】
前記データ取得手段は、撮像手段を含むことを特徴とする請求項１乃至請求項４４のいずれかに記載の電子機器。
【請求項４６】
前記データ取得手段は、音声入力手段を含むことを特徴とする請求項１乃至請求項４５のいずれかに記載の電子機器。
【請求項４７】
前記データ取得手段は、キー入力手段を含むことを特徴とする請求項１乃至請求項４６のいずれかに記載の電子機器。
【請求項４８】
前記メモリは、前記電子機器の内部メモリを含むことを特徴とする請求項１乃至請求項４７のいずれかに記載の電子機器。
【請求項４９】
前記メモリは、前記電子機器に着脱可能な外部メモリを含むことを特徴とする請求項１乃至請求項４８のいずれかに記載の電子機器。
【請求項５０】
前記電子機器は、携帯電話装置であることを特徴とする請求項１乃至請求項４９のいずれかに記載の電子機器。
【請求項５１】
前記携帯電話装置は、折り畳み型またはターン型の形状であり、前記携帯電話装置が閉状態から開状態に変化したことを検出した時に報知手段が報知することを特徴とする請求項５０に記載の電子機器。
【請求項５２】
前記携帯電話装置は、折り畳み型またはターン型の形状であり、前記携帯電話装置が開状態から閉状態に変化したことを検出した時に報知手段が報知することを特徴とする請求項５０又は請求項５１に記載の電子機器。
【請求項５３】
前記電子機器は、ＰＤＡ（Ｐｅｒｓｏｎａｌ  Ｄｉｇｉｔａｌ  Ａｓｓｉｓｔａｎｔｓ）であることを特徴とする請求項１乃至請求項４９のいずれかに記載の電子機器。
【請求項５４】
前記電子機器は、パーソナルコンピュータであることを特徴とする請求項１乃至請求項４９のいずれかに記載の電子機器。
【請求項５５】
前記電子機器は、ディジタルスチルカメラであることを特徴とする請求項１乃至請求項４９のいずれかに記載の電子機器。
【請求項５６】
前記電子機器は、カーナビゲーション機器であることを特徴とする請求項１乃至請求項４９のいずれかに記載の電子機器。
【請求項５７】
前記電子機器は、シリコンオーディオプレーヤであることを特徴とする請求項１乃至請求項４９のいずれかに記載の電子機器。
【請求項５８】
電子機器のメモリに記憶可能なメモリ空き容量を報知する報知方法であって、
前記メモリ空き容量を報知する報知ステップと、
前記メモリ空き容量の検出結果に基づいて、前回報知以降の前記報知ステップの報知タイミングを変化させるステップとを有することを特徴とするメモリ空き容量報知方法。
【請求項５９】
電子機器のメモリに記憶可能なメモリ空き容量を報知する報知方法であって、
前記メモリ空き容量の検出結果に基づいて、前記メモリ空き容量を報知する報知ステップと、
前記メモリ空き容量に応じて、前記検出以降の前記メモリ空き容量を検出するタイミングを変化させるステップとを有することを特徴とするメモリ空き容量報知方法。
【請求項６０】
電子機器のメモリに記憶可能なメモリ空き容量を報知する報知方法であって、
前記メモリ空き容量を報知する複数の報知ステップと、
前記メモリ空き容量の検出結果に基づいて、前記報知ステップを変更させるステップとを有することを特徴とするメモリ空き容量報知方法。
【請求項６１】
電子機器のメモリに記憶可能なメモリ空き容量を報知する報知方法であって、
前記メモリ空き容量を報知する報知ステップと、
前記メモリ空き容量の検出結果に基づいて、前記報知ステップが一定時間毎に報知するステップとを有することを特徴とするメモリ空き容量報知方法。
【請求項６２】
電子機器のメモリに記憶可能なメモリ空き容量を報知する報知方法であって、
前記メモリ空き容量を報知する報知ステップと、
前記電子機器の状態の変化を検出することにより、前記報知手段が報知するステップとを有することを特徴とするメモリ空き容量報知方法。
【請求項６３】
電子機器のメモリに記憶可能なメモリ空き容量を報知する報知方法であって、
前記メモリに記憶するデータを取得する複数のデータ取得ステップと、
前記メモリ空き容量を報知する報知ステップと、
前記複数のデータ取得ステップのうち、現在実行中のデータ取得ステップに割り当てられたメモリ容量のメモリ空き容量のみを報知する報知ステップとを有することを特徴とするメモリ空き容量報知方法。
【発明の詳細な説明】
【技術分野】
【０００１】
本発明は、データを記憶するメモリに記憶可能なメモリ空き容量報知機能付き電子機器及びその報知方法に関し、特に、ユーザが特別に意識することなく、メモリ空き容量を直感的に把握することができるメモリ空き容量報知機能付き電子機器及びその報知方法に関する。
【背景技術】
【０００２】
従来、メモリを備えた電子機器として、メモリ空き容量不足の際、メモリ内のデータに対する上書きあるいは転送処理により、取得したデータを記憶する携帯電話装置が知られている（例えば、特許文献１及び特許文献２参照）。
【０００３】
特許文献１記載の発明では、携帯電話装置には、名前、電話番号及び発呼回数が対応付けられて記憶されている。携帯電話装置は、メモリダイヤル登録時にメモリ空き容量がなければ、発呼回数に基づいてソートしたメモリダイヤルを一覧表示し、ユーザにより選択されたメモリダイヤルに新たなメモリダイヤルを上書き記憶する。
【０００４】
また、特許文献２記載の発明では、携帯電話装置には、受信したメールが記憶されている。携帯電話装置は、メール受信時にメモリ空き容量がなければ、ユーザが予め定めたメール検索方法に基づいて検索されたメールを、ユーザが予め定めたメール転送先に自動的に送信するとともに、転送したメールを記憶していた部分に新たに受信したメールを記憶する。
【０００５】
一方、従来のメモリ空き容量報知機能付き電子機器として、メモリ空き容量を、数字を用いて表示する、あるいは特定の発光色を用いて発光することにより報知する携帯電話装置が知られている（例えば、特許文献３及び特許文献４参照）。
【０００６】
特許文献３記載の発明では、携帯電話装置には、受信したメールが記憶されている。携帯電話装置は、メール受信時にメモリ空き容量がなければ、情報センタからのメール削除要求を表示し、また、メモリ空き容量を数字を用いて表示することによりメモリ空き容量を報知する。
【０００７】
また、特許文献４記載の発明では、携帯電話装置には、送受信部を用いてダウンロードされたデータやキー操作によって入力された電話番号が記憶されている。携帯電話装置は、データのダウンロード等、リアルタイムにメモリ空き容量が変化するような場合に、取得したメモリ空き容量に基づいた発光色を用いて液晶パネルの背景色が発光することによりメモリ空き容量を報知する。
【０００８】
【特許文献１】特開２０００−２２７９８号公報（第５乃至６頁、図１、図３、図４及び図９参照）
【特許文献２】特開２００２−３５１７９８号公報（第２乃至４頁、図２及び図３参照）
【特許文献３】特開２０００−２７８３１１号公報（第４乃至７頁、図１、図３、図９及び図１３参照）
【特許文献４】特開２００２−２７１４４９号公報（第３乃至６頁及び図２乃至図７参照）
【発明の開示】
【発明が解決しようとする課題】
【０００９】
しかしながら、特許文献１記載の携帯電話装置では、メモリに記憶されているいずれのメモリダイヤルも削除したくない場合であっても、メモリダイヤル登録時にメモリ空き容量不足の場合、いずれかのメモリダイヤルを削除しなければならない。さらに、この携帯電話装置では、メモリダイヤル登録時になって初めてメモリ空き容量の有無を認識するものであって、ユーザが特別に意識することなくメモリ空き容量を把握できるように報知するものではない。
【００１０】
これに対して、特許文献２記載の携帯電話装置では、メール受信時にメモリ空き容量不足の場合、優先順位の低いメールを予め定めた転送先に自動的に送信するため、重要なメールの内容を完全に失うことはないものの、転送されるべきメールを検索するための検索方法や転送設定を予めユーザが定めなければならないため操作が煩雑となる。特に、転送設定時と実際のメール受信時とでは、ユーザにとっての優先順位の指標が異なる可能性があるため、ユーザは常に転送設定を意識し、必要に応じて転送設定を変更しなければならず、操作が煩雑となる。また、このとき、ユーザが転送設定を変更し忘れると、本来転送を望んでいなかったメールが転送されてしまい、転送先のメールを確認するために別途機器を準備しなければならいため面倒である。さらに、この携帯電話装置でも、メール受信時になって初めてメモリ空き容量の有無を認識するものであって、ユーザが特別に意識することなくメモリ空き容量を把握できるように報知するものではない。
【００１１】
一方、特許文献３記載の携帯電話装置では、メール受信時にメモリ空き容量不足の場合、情報センタからのメール削除要求を表示し、また、メモリ空き容量を数字を用いて表示することによりメモリ空き容量を報知する。しかしながら、この携帯電話装置では、メール受信時にメール転送要求を行って初めてメモリ空き容量を数字を用いて表示し報知するものであって、ユーザが特別に意識することなくメモリ空き容量を把握できるように報知するものではない。
【００１２】
これに対して、特許文献４記載の携帯電話装置では、データのダウンロード等、リアルタイムにメモリ空き容量が変化するような場合、取得したメモリ空き容量に基づいた発光色を用いて液晶パネルの背景色が発光することによりメモリ空き容量を報知するため、メモリ空き容量を確認するためだけの特別な操作をユーザが行う必要がなく、メモリ空き容量を把握できる。しかしながら、この携帯電話装置では、リアルタイムにメモリ空き容量が変化しない場合、ユーザが特別に意識することなくメモリ空き容量を把握することができず、さらに、単に取得したメモリ空き容量に基づいた発光色を用いて液晶パネルの背景色が発光するため、ユーザが特別に意識することなく、効果的にそして正確にメモリ空き容量を把握することができない。
【００１３】
本発明の目的は、上記課題を解決し、ユーザが特別に意識することなく、直感的、効果的、そして正確にメモリ空き容量を把握することができるメモリ空き容量報知機能付き電子機器及び報知方法を提供することにある。さらに加えて、本発明の目的は、電子機器のバッテリーを節約しながら、ユーザがメモリ空き容量を把握することができるメモリ空き容量報知機能付き電子機器及び報知方法を提供する。
【課題を解決するための手段】
【００１４】
上記目的を達成するために、本発明における電子機器は、例えば、メモリに記憶可能なメモリ空き容量を報知する電子機器であって、前記メモリ空き容量を視覚的に報知する報知手段を有し、前記メモリ空き容量の検出結果に基づいて、前回報知以降の前記報知手段の報知タイミングが変化する。
【００１５】
また、本発明における電子機器は、メモリに記憶可能なメモリ空き容量を報知する電子機器であって、前記メモリ空き容量の検出結果に基づいて、前記メモリ空き容量を視覚的に報知する報知手段を有し、前記メモリ空き容量に応じて、前記検出以降の前記メモリ空き容量を検出するタイミングが変化する。
【００１６】
また、本発明における電子機器は、メモリに記憶可能なメモリ空き容量を報知する電子機器であって、前記メモリ空き容量を報知する報知手段を有し、前記メモリ空き容量の検出結果に基づいて、前記報知手段が一定時間毎に報知する。
【００１７】
また、本発明における電子機器は、メモリに記憶可能なメモリ空き容量を報知する電子機器であって、前記メモリ空き容量を報知する複数の報知手段を有し、前記メモリ空き容量の検出結果に基づいて、前記報知手段が変更される。
【００１８】
また、本発明における電子機器は、メモリに記憶可能なメモリ空き容量を報知する電子機器であって、前記メモリ空き容量を報知する報知手段を有し、前記電子機器の状態の変化を検出することにより、前記報知手段が報知する。
また、本発明における電子機器は、メモリに記憶可能なメモリ空き容量を報知する電子機器であって、前記メモリに記憶するデータを取得する複数のデータ取得手段と、前記メモリ空き容量を報知する報知手段とを有し、前記複数のデータ取得手段のうち、現在使用中のデータ取得手段に割り当てられたメモリ容量のメモリ空き容量のみを前記報知手段が報知する。
【発明の効果】
【００１９】
本発明による電子機器では、ユーザが意識することなく、直感的、効果的、そして正確にメモリ空き容量を把握することができる。
【００２０】
さらに、本発明による電子機器では、電子機器のバッテリーを節約しながら、ユーザがメモリ空き容量を把握することができる。
【発明を実施するための最良の形態】
【００２１】
本発明の最良の形態について、図面を参照して説明する。しかしながら、かかる形態は本発明の技術的範囲を何ら限定するものではない。また、以下の全ての実施例についても本発明の技術的範囲を何ら限定するものではない。
【００２２】
図１及び図２を用いて、本発明の携帯電話装置１００の構成について説明する。なお、以下の全ての実施例においても、特別な記載がない限り、図１及び図２により示される携帯電話装置１００を用いることとする。
【００２３】
図１は、本発明の携帯電話装置１００の構成を示すブロック図である。
【００２４】
図２は、本発明の携帯電話装置１００の外観を示す図である。この携帯電話装置１００は折り畳み型であり、折り畳まれた状態を閉状態、折り畳まずに開いた状態を開状態とする。図２（ａ）は、携帯電話装置１００が、開状態である時の正面図である。図２（ｂ）は、携帯電話装置１００が、開状態である時の背面図である。図２（ｃ）は、携帯電話装置１００が、閉状態である時の斜視図である。
【００２５】
操作部１０１は、ユーザが携帯電話装置１００の操作を行うためのものであり、テンキー等から構成される。また、操作部１０１を操作することにより、本発明におけるメモリ空き容量報知機能のＯＮ／ＯＦＦを選択できることが好ましい。
【００２６】
回線接続部１０２は、例えば、一般的な携帯電話装置が備えているアンテナ部２０１や図示しない無線部を含み、携帯電話装置１００において、例えば、電話機能、メール送受信機能、又はインターネットサーバへ接続しデータ通信する機能等を実現するものである。
【００２７】
カメラ部１０３は、例えば、図示しないＣＣＤ（Ｃｈａｒｇｅ  Ｃｏｕｐｌｅｄ  Ｄｅｖｉｃｅ）又はＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）等の撮像素子を含み、撮像した被写体の画像を電気信号に変換する。
【００２８】
マイク部１０４は、例えば、音声通話時又は音声メモ録音時に音声が入力される。
【００２９】
メモリ１０５は、内部メモリ１１５又は携帯電話装置１００に着脱可能な外部メモリ１２５の少なくともいずれか１つを含み、例えば、操作部１０１を用いて入力されるアドレスや送信メール、回線接続部１０２を用いて図示しないメールサーバやインターネットサーバ等から取得される受信メール、メロディデータ、又は画像データ、カメラ部１０３を用いて取得されるカメラ画像、又はマイク部を用いて入力される音声メモデータ等、取得されたユーザデータを記憶する。
【００３０】
表示部１０６及び背面表示部１０７は、ユーザが携帯電話装置１００を操作する上で必要なメニュー画面や、上述したアドレス、送受信メール、画像データ、又はカメラ画像等を表示するものであり、例えば、液晶パネルや有機エレクトロルミネッセンスパネル等から構成される。また、表示部１０６及び背面表示部１０７は、多色発光可能であることが好ましく、さらに、後述するメモリ１０５のメモリ空き容量を報知するための発光を行ってもよい。
【００３１】
ＬＥＤ部１０８は、多色発光可能な発光ダイオードからなり、例えば、音声着呼時、音声発呼時、メール受信時、又は携帯電話装置１００の充電時等に発光する。また、後述するメモリ１０５のメモリ空き容量を報知するための発光を行ってもよく、この場合、音声着呼時、音声発呼時、メール受信時、又は携帯電話装置１００の充電時等とは、異なる発光色を用いることが好ましい。
【００３２】
また、背面表示部１０７及びＬＥＤ部１０８は、図２（ｃ）に示すように、携帯電話装置１００を閉状態にした場合に、発光していることをユーザが視覚的に確認できるように構成される。さらに、発光していることを一方向のみからではなく複数の方向からユーザが視覚的に確認できることが好ましい。
【００３３】
スピーカ部１０９は、例えば、音声通話時、メール受信時、メロディデータ再生時、又は音声メモ再生時等に音声を出力し、さらに、後述するメモリ１０５のメモリ空き容量を報知するための音声出力を行ってもよい。
【００３４】
振動部１１０は、図示しないバイブレータから構成され、例えば、音声着呼時、メール受信時、又はメロディデータ再生時等に振動し、さらに、後述するメモリ１０５のメモリ空き容量を報知するための振動を行ってもよい。
【００３５】
積算容量記憶用メモリ１１１は、メモリ１０５に記憶されているユーザデータの積算容量を記憶するためのメモリであり、メモリ１０５にユーザデータが記憶されるか、又はメモリ１０５からユーザデータが削除される度に更新されることが好ましい。
【００３６】
制御回路部１１２は、ＣＰＵから構成され、携帯電話装置１００の制御を行い、例えば、音声通話、メール送受信、又はインターネットサーバへの接続等の動作の制御を行う。また、例えば、操作部１０１、回線接続部１０２、カメラ部１０３、又はマイク部１０４等を用いて取得されたユーザデータをメモリ１０５へ記憶するように制御を行い、メモリ１０５に記憶されたユーザデータを、表示部１０６、背面表示部１０７、ＬＥＤ部１０８、又はスピーカ部１０９等を用いて出力するように制御を行う。また、携帯電話装置１００が待受け状態の場合、後述するメモリ１０５のメモリ空き容量に応じた所定時間毎にこのメモリ空き容量を報知するよう制御を行う。さらに、ユーザデータをメモリ１０５に記憶又は削除完了した場合、積算容量記憶用メモリ１１１を更新し、後述するメモリ１０５のメモリ空き容量を報知するよう制御を行う。
【００３７】
次に、図１及び図２に記載の携帯電話装置１００の動作について、図３を用いて説明する。
【００３８】
なお、携帯電話装置１００の動作説明では、回線接続部１０２に含まれるアンテナ部２０１や図示しない無線部を介して実現する発呼・応答といった電話機能やメール送受信機能又はデータ通信機能といった一般的な携帯電話装置が備えている機能については、本願発明と直接的に関係しないので、説明を省略する。
【００３９】
図３は、本発明におけるメモリ１０５のメモリ空き容量をユーザに報知するための動作の概要を説明するためのフローチャートである。メモリ空き容量とは、ユーザデータを記憶可能なメモリ１０５のメモリ容量を示し、さらに、以下の全ての実施例においても、特別な記載がない限り、本形態のメモリ空き容量と同様の意味を成すものとする。
【００４０】
まず、図３において、携帯電話装置１００は、本発明のメモリ空き容量報知機能がＯＮに選択されているか否かを判断し（ステップ３０１）、メモリ空き容量報知機能がＯＮに選択されていなければ（ステップ３０１でＮＯ）、そのまま終了する。また、メモリ空き容量報知機能がＯＮに選択されていれば（ステップ３０１でＹＥＳ）、メモリ空き容量の変化に係る機能を実行中であるか否かを判断する（ステップ３０２）。すなわち、例えば、カメラ機能、メール機能、インターネットサーバ接続機能、又はメモリ１０５内のユーザデータのコピー、削除又は編集機能等を実行中であれば（ステップ３０２でＹＥＳ）、これらの機能の実行によって、ユーザデータの記憶又は削除が完了したか否かを判断する（ステップ３０３）。ユーザデータの記憶又は削除が完了していなければ（ステップ３０３でＮＯ）、ステップ３０２に戻る。完了していれば（ステップ３０３でＹＥＳ）、メモリ１０５のメモリ空き容量に応じて制御回路部１１２によって決定される発光色を用いて、ＬＥＤ部１０８が一定時間発光することによりユーザにメモリ空き容量を報知し（ステップ３０４）、ステップ３０１に戻る。
【００４１】
一方、携帯電話装置１００がメモリ空き容量の変化に係る機能を実行中でなければ（ステップ３０２でＮＯ）、待受け状態であるか否かを判断する（ステップ３０５）。すなわち、例えば、音声通話中であれば待受け状態ではないものとして（ステップ３０５でＮＯ）、ステップ３０１に戻る。待受け状態であれば（ステップ３０５でＹＥＳ）、ＬＥＤ部１０８が、メモリ１０５のメモリ空き容量を報知するために前回発光してから、メモリ空き容量に応じた所定時間が経過したか否かを判断し（ステップ３０６）、所定時間が経過していなければ（ステップ３０６でＮＯ）、ステップ３０１に戻る。所定時間が経過していれば（ステップ３０６でＹＥＳ）、ステップ３０４に進む。
【００４２】
以上により、本形態では、携帯電話装置１００のメモリ１０５のメモリ空き容量が変化した場合、また、メモリ空き容量に変化のない待受け状態であってもメモリ空き容量に応じた所定時間が経過した場合、メモリ空き容量に応じて制御回路部１１２により決定される発光色を用いて、ＬＥＤ部１０８が一定時間発光することによりユーザにメモリ空き容量を報知するため、ユーザが特別に意識することなく、直感的、効果的、そして正確にメモリ空き容量を把握することができる。
【００４３】
さらに、携帯電話装置１００が待受け状態の場合、メモリ空き容量に応じた所定時間を経過するまで発光が行われないため、携帯電話装置１００のバッテリーを節約することができる。すなわち、メモリ空き容量が多い場合、ユーザに頻繁にメモリ空き容量を報知する必要性も低いと考えられるため、例えば、メモリ空き容量が一定量以上である場合、次回報知するまでの所定時間を長くし、メモリ空き容量を報知するタイミングを遅らせることにより、ＬＥＤ部１０８の発光に伴うバッテリーの消耗を抑えることができる。さらに、メモリ空き容量が少ない場合、ユーザに頻繁にメモリ空き容量を報知し、メモリ１０５に記憶されているユーザデータの消去やバックアップといった整理等を促す必要性が高いと考えられるため、例えば、メモリ空き容量が一定量以下である場合、次回報知するまでの所定時間を短くし、メモリ空き容量を報知するタイミングを早めることにより、ユーザは、メモリ空き容量を直感的、効果的、そして正確に把握することができる。
【００４４】
さらに、携帯電話装置１００が待受け状態の場合にもメモリ空き容量の報知を行なうことにより、ユーザは、時間的、そして精神的に余裕のある状態においてメモリ空き容量を報知される可能性が高く、メモリ１０５に記憶されているユーザデータの整理を落ち着いて行うことができる。
【００４５】
なお、図３の説明では、ＬＥＤ部１０８が発光することにより、ユーザにメモリ空き容量を報知するとしたが、図２（ｃ）に示すように、例えば、背面表示部１０７も発光するようにしてもよい。また、背面表示部１０７のみが発光するようにしてもよい。
【００４６】
また、図２（ａ）又は図２（ｂ）に示すように、携帯電話装置１００が開状態である場合、例えば、表示部１０６、背面表示部１０７、又はＬＥＤ部１０８のうち、少なくとも１つが発光するようにしてもよい。
【実施例１】
【００４７】
本発明の実施例１について、図４乃至図７を参照して説明する。なお、実施例１においても、図１及び図２に記載の携帯電話装置１００を用いることとする。
【００４８】
最良の実施の形態では、本発明の概要を説明したが、実施例１では、より詳細に説明する。
【００４９】
図４は、メモリ１０５のメモリ空き容量Ｍを固定の検出タイミングにより検出する動作を説明するためのフローチャートであり、図５及び図６は、検出されたメモリ空き容量Ｍを報知する動作を説明するためのフローチャートであり、図７は、図４乃至図６の動作に係るメモリ空き容量Ｍを検出するタイミング及び報知するタイミングを説明するための図である。
【００５０】
まず、図４を用いて、実施例１におけるメモリ１０５のメモリ空き容量Ｍを検出する動作を説明する。
【００５１】
実施例１では、メモリ１０５のメモリ空き容量Ｍを検出するタイミングは、固定されたタイミングにより常時行なう。すなわち、携帯電話装置１００は、メモリ空き容量報知機能がＯＮに選択されているか否かを判断し（ステップ４０１）、メモリ空き容量報知機能がＯＮに選択されていなければ（ステップ４０１でＮＯ）、そのまま終了する。また、メモリ空き容量報知機能がＯＮに選択されていれば（ステップ４０１でＹＥＳ）、メモリ１０５に記憶されているユーザデータの積算容量Ｑを、積算容量記憶用メモリ１１１から読み出す（ステップ４０２）。携帯電話装置１００は、ステップ４０２において読み出した積算容量Ｑをメモリ１０５のメモリ全体容量Ｐから減算することにより、メモリ１０５の現在のメモリ空き容量Ｍを検出し（ステップ４０３）、終了する。実施例１では、このメモリ空き容量Ｍの検出する動作を、図７に記載のメモリ空き容量Ｍの検出タイミングに基づいて常時行なう。
【００５２】
次に、図５及び図６を用いて、実施例１におけるメモリ１０５のメモリ空き容量Ｍの報知の動作を説明する。
【００５３】
まず、携帯電話装置１００は、前回メモリ空き容量Ｍを報知してからどれだけ時間が経過したかを計測する経過時間ｔと、メモリ空き容量を次に報知するタイミングを得るために、検出されたにメモリ空き容量Ｍに基づいて決定される報知時間間隔Ｔとを最もメモリ空き容量Ｍが少ないと判断される場合の報知時間間隔Ｔ_Ｒｅｄを用いて初期化を行なう（ステップ５０１）。次に、メモリ空き容量報知機能がＯＮに選択されているか否かを判断し（ステップ５０２）、メモリ空き容量報知機能がＯＮに選択されていなければ（ステップ５０２でＮＯ）、そのまま終了する。また、メモリ空き容量報知機能がＯＮに選択されていれば（ステップ５０２でＹＥＳ）、メモリ空き容量Ｍの変化に係る機能を実行中であるか否かを判断する（ステップ５０３）。すなわち、例えば、カメラ機能、メール機能、インターネットサーバ接続機能、又はメモリ内のユーザデータのコピー、削除又は編集機能等を実行中であれば（ステップ５０３でＹＥＳ）、これらの機能の実行によって、ユーザデータの記憶が完了したか否かを判断し（ステップ５０４）、完了していれば（ステップ５０４でＹＥＳ）、図６のＡに進む。完了していなければ（ステップ５０３でＮＯ）、ユーザデータの削除が完了したか否かを判断し（ステップ５０５）、完了していれば（ステップ５０５でＹＥＳ）、図６のＢに進む。完了していなければ（ステップ５０５でＮＯ）、ステップ５０３に戻る。
【００５４】
一方、携帯電話装置１００がメモリ空き容量の変化に係る機能を実行中でなければ（ステップ５０３でＮＯ）、待受け状態であるか否かを判断する（ステップ５０６）。すなわち、例えば、音声通話中であれば待受け状態ではないものとして（ステップ５０６でＮＯ）、ステップ５０２に戻る。待受け状態であれば（ステップ５０６でＹＥＳ）、
図６のＣに進む。
【００５５】
次に、図６のＡに進むと、携帯電話装置１００は、今回メモリ１０５に記憶したユーザデータのサイズＳを取得し（ステップ６０１）、このユーザデータのサイズＳを積算容量記憶用メモリ１１１に記憶された積算容量Ｑに加算することにより、新たな積算容量Ｑとして、積算容量記憶用メモリ１１１に記憶する（ステップ６０２）。次に、メモリ１０５のメモリ全体容量Ｐからステップ６０２により得られた積算容量Ｑを減算することにより、メモリ１０５の現在のメモリ空き容量Ｍを検出する（ステップ６０３）。すなわち、図４に記載のように、実施例１では、携帯電話装置１００は、基本的にはメモリ１０５のメモリ空き容量Ｍは常時検出するものではあるが、メモリ空き容量Ｍの変化に係る機能を実行中である場合であって、ユーザデータの記憶又は削除が完了した時に、最新のメモリ空き容量Ｍを検出する。次に、ステップ６０４では、以降のステップ６０５乃至ステップ６１７に記載の動作により、携帯電話装置１００がメモリ空き容量Ｍの報知を行なうことが決定しているため、０を用いて経過時間ｔの初期化を行なう。次に、携帯電話装置１００は、メモリ空き容量Ｍがメモリ１０５のメモリ全体容量Ｐの５０％未満であるか否かを判断し（ステップ６０５）、メモリ空き容量Ｍが５０％以上であれば（ステップ６０５でＮＯ）、発光色をＢｌｕｅに設定し（ステップ６０６）、次に報知を行なうまでの報知時間間隔Ｔを、図７（Ａ）に記載のＴ_Ｂｌｕｅに設定する（ステップ６０７）。一方、メモリ空き容量Ｍがメモリ１０５のメモリ全体容量Ｐの５０％未満であれば（ステップ６０５でＹＥＳ）、メモリ空き容量Ｍがメモリ全体容量Ｐの２５％未満であるか否かを判断し（ステップ６０８）、メモリ空き容量Ｍが２５％以上であれば（ステップ６０８でＮＯ）、発光色をＧｒｅｅｎに設定し（ステップ６０９）、次に報知を行なうまでの報知時間間隔Ｔを、図７（Ｂ）に記載のＴ_Ｇｒｅｅｎに設定する（ステップ６１０）。一方、メモリ空き容量Ｍがメモリ全体容量Ｐの２５％未満であれば（ステップ６０８でＹＥＳ）、メモリ空き容量Ｍがメモリ全体容量Ｐの１０％未満であるか否かを判断し（ステップ６１１）、メモリ空き容量Ｍが１０％以上であれば（ステップ６１１でＹＥＳ）、発光色をＹｅｌｌｏｗに設定し（ステップ６１２）、次に報知を行なうまでの報知時間間隔Ｔを、図７（Ｃ）に記載のＴ_Ｙｅｌｌｏｗに設定する（ステップ６１３）。一方、メモリ空き容量Ｍがメモリ全体容量Ｐの１０％未満であれば（ステップ６１１でＹＥＳ）、発光色をＲｅｄに設定し（ステップ６１４）、次に報知を行なうまでの報知時間間隔Ｔを、図７（Ｄ）に記載のＴ_Ｒｅｄに設定する（ステップ６１５）。次に、ステップ６０６、６０９、６１２、又は６１４のいずれかにより設定された発光色を用いて、例えば、ＬＥＤ部１０８が発光することによりメモリ空き容量Ｍをユーザに報知し（ステップ６１６）、一定時間経過したか否かを判断する（ステップ６１７）。一定時間経過していなければ（ステップ６１７でＮＯ）、ＬＥＤ部１０８による発光を続け、一定時間経過したならば（ステップ６１７でＹＥＳ）、ＬＥＤ部１０８による発光を終了し、図５のＤに進む。
【００５６】
一方、図６のＢに進むと、携帯電話装置１００は、今回メモリ１０５から削除したユーザデータのサイズＳを取得し（ステップ６１８）、このユーザデータのサイズＳを積算容量記憶用メモリ１１１に記憶された積算容量Ｑから減算することにより、新たな積算容量Ｑとして、積算容量記憶用メモリ１１１に記憶し（ステップ６１９）、ステップ６０３に進む。
【００５７】
一方、図６のＣに進むと、携帯電話装置１００は、前回メモリ空き容量Ｍを報知してからどれだけ時間が経過したかを計測する経過時間ｔが、報知時間間隔Ｔ以上であるか否かを判断し（ステップ６２０）、報知時間間隔Ｔ未満であれば（ステップ６２０でＮＯ）、図５のＤに進み、報知時間間隔Ｔ以上であれば（ステップ６２０でＹＥＳ）、ステップ６０４に進む。
【００５８】
このように、実施例１では、携帯電話装置１００のメモリ１０５のメモリ空き容量Ｍが変化した場合、また、メモリ空き容量Ｍに変化のない待受け状態であってもメモリ空き容量Ｍに応じた報知時間間隔Ｔが経過した場合、メモリ空き容量Ｍに応じて制御回路部１１２によって決定される発光色を用いて、ＬＥＤ部１０８が一定時間発光してユーザにメモリ空き容量Ｍを報知するため、ユーザが特別に意識することなく、直感的、効果的、そして正確にメモリ空き容量Ｍを把握することができる。
【００５９】
さらに、携帯電話装置１００が待受け状態の場合、メモリ空き容量Ｍに応じた報知時間間隔Ｔを経過するまで発光を行わないため、携帯電話装置１００のバッテリーを節約することができる。すなわち、メモリ空き容量Ｍが多い場合、ユーザに頻繁にメモリ空き容量Ｍを報知する必要性も低いと考えられるため、例えば、図７（Ａ）に記載のように、メモリ空き容量Ｍが５０％以上である場合、次回報知するまでの報知時間間隔Ｔを長くし（Ｔ＝Ｔ_Ｂｌｕｅ）、メモリ空き容量Ｍを報知するタイミングを遅らせることにより、ＬＥＤ部１０８の発光に伴うバッテリーの消耗を抑えることができる。さらに、メモリ空き容量Ｍが少ない場合、ユーザに頻繁にメモリ空き容量Ｍを報知し、メモリ１０５に記憶されているユーザデータの消去やバックアップといった整理等を促す必要性が高いと考えられるため、例えば、メモリ空き容量が１０％未満である場合、次回報知するまでの報知時間間隔Ｔを短くし（Ｔ＝Ｔ_Ｒｅｄ）、メモリ空き容量Ｍを報知するタイミングを早めることにより、ユーザは、メモリ空き容量Ｍを直感的、効果的、そして正確に把握することができる。
【００６０】
さらに、携帯電話装置１００が待受け状態の場合にもメモリ空き容量Ｍを報知することにより、ユーザは、時間的、そして精神的に余裕のある状態においてメモリ空き容量Ｍを報知される可能性が高く、メモリ１０５に記憶されているユーザデータの整理を落ち着いて行うことができる。
【００６１】
なお、図６のステップ６１６及びステップ６１７において、ＬＥＤ部１０８が発光する場合、図７（Ｅ）に記載のように、ＬＥＤ部１０８を一定時間点灯させても良いし、図７（Ｆ）に記載のように、ＬＥＤ部１０８を一定時間所定のタイミングにより点滅させても良い。
【００６２】
また、実施例１の説明では、ＬＥＤ部１０８が発光することにより、ユーザにメモリ空き容量Ｍを報知するとしたが、図２（ｃ）に示すように、例えば、背面表示部１０７も発光するようにしてもよく、これにより、ＬＥＤ部１０８のみの発光よりもユーザの視界に発光色が入りやすくなるため、ユーザがより直感的にメモリ空き容量Ｍを把握することが可能となる。また、背面表示部１０７のみが発光するようにしてもよく、これにより、例えば、メール着信時にＬＥＤ部１０８と背面表示部１０７とが発光する場合と、メモリ空き容量Ｍを報知するために発光する場合とをユーザが容易に区別することが可能となるため、ユーザが直感的にメモリ空き容量Ｍを把握することが可能となる。
【００６３】
また、図２（ａ）又は図２（ｂ）に示すように、携帯電話装置１００が開状態である場合、例えば、表示部１０６又は背面表示部１０７も発光するようにしてもよいが、少なくとも表示部１０６は発光することが好ましい。すなわち、携帯電話装置１００が開状態であれば、ユーザが、例えば、所望のホームページを閲覧するために表示部１０６を見ている可能性が高いため、少なくとも表示部１０６が発光することにより、ユーザが直感的にメモリ空き容量Ｍを把握することが可能となる。
【００６４】
また、報知時間間隔Ｔ_Ｂｌｕｅ、T_Ｇｒｅｅｎ、Ｔ_Ｙｅｌｌｏｗ、及びＴ_Ｒｅｄは、図７（Ａ）乃至（Ｄ）に記載のように、例えば、メモリ空き容量が少ないほど短くし、メモリ空き容量が多いほど長くなるように設定することが好ましい。
【実施例２】
【００６５】
次に、本発明の実施例２について、図５及び図８を参照して説明する。
【００６６】
実施例１では、携帯電話装置１００のメモリ１０５のメモリ空き容量Ｍが変化した場合、ＬＥＤ部１０８が一定時間発光してユーザにメモリ空き容量Ｍの報知を行なっていた。これに対して、実施例２では、携帯電話装置１００のメモリ１０５のメモリ空き容量Ｍの値が、第１のメモリ容量範囲内から第２のメモリ容量範囲内に変化した場合、ＬＥＤ部１０８が一定時間発光してユーザにメモリ空き容量Ｍの報知を行なうことを特徴とする。
【００６７】
実施例２の携帯電話装置は、基本的な構成としては図１及び図２に記載の携帯電話装置１００を用いることとし、図５のステップ５０１及び図８に係る動作が実施例１とは異なる。
【００６８】
また、実施例２では、メモリ１０５のメモリ空き容量Ｍを固定の検出タイミングにより検出する動作については、図４に記載の実施例１のフローチャートと同様であるため、説明を省略する。
【００６９】
図５及び図８は、実施例２において、検出されたメモリ空き容量Ｍを報知する動作を説明するためのフローチャートである。
【００７０】
図５及び図８を用いて、実施例２におけるメモリ１０５のメモリ空き容量Ｍの報知の動作を説明する。
【００７１】
まず、図５において、実施例１では、経過時間ｔ及び報知時間間隔Ｔの初期化を行なっていたが（図５のステップ５０１）、実施例２では、図５のステップ５０１に変えて、携帯電話装置１００は、経過時間ｔ、報知時間間隔Ｔ、及びメモリ空き容量フラグＦの初期化を行なう（図示しないステップ５５０）。ここで、メモリ空き容量フラグＦは、メモリ空き容量Ｍの値がどのメモリ容量範囲内に属するかを示すフラグであり、ＮＵＬＬを用いて初期化を行なう。なお、図５において、実施例２では、ステップ５５０以外のステップについては、実施例１のステップ５０２乃至ステップ５０６と同様のステップであるため、説明を省略する。
【００７２】
次に、図８のＡに進むと、まず、ステップ８０１乃至ステップ８０３については、図６に記載の実施例１のステップ６０１乃至６０３と同様のステップであるため、説明を省略する。次に、携帯電話装置１００は、ステップ８０３により検出されたメモリ空き容量Ｍがメモリ１０５のメモリ全体容量Ｐの５０％未満であるか否かを判断し（ステップ８０４）、メモリ空き容量Ｍが５０％以上であれば（ステップ８０４でＮＯ）、前回メモリ空き容量Ｍを報知してからどれだけ時間が経過したかを計測する経過時間ｔが、報知時間間隔Ｔ以上であるか否かを判断し（ステップ８０５）、報知時間間隔Ｔ以上であれば（ステップ８０５でＹＥＳ）、発光色をＢｌｕｅに設定し（ステップ８０７）、報知時間間隔ＴをＴ_Ｂｌｕｅに設定し（ステップ８０８）、メモリ空き容量フラグＦをＦ_Ｂｌｕｅに設定する（ステップ８０９）。次に、ステップ８１０において、図６に記載の実施例１のステップ６０４と同様に、０を用いて経過時間ｔの初期化を行ない、ステップ８１１に進む。ステップ８１１及びステップ８１２については、図６に記載の実施例１のステップ６１６及びステップ６１７と同様のステップであるため、説明を省略する。一方、ステップ８０５において、経過時間ｔが報知時間間隔Ｔ未満であれば（ステップ８０５でＮＯ）、メモリ空き容量フラグＦがＦ_Ｂｌｕｅと一致するか否かを判断し（ステップ８０６）、一致しなければ（ステップ８０６でＮＯ）、ステップ８０７に進み、一致すれば（ステップ８０６でＹＥＳ）、図５のＤに進む。すなわち、実施例２に記載の携帯電話装置１００は、ステップ８０６において、メモリ空き容量フラグＦがＦ_Ｂｌｕｅと一致した場合は、今回検出したメモリ空き容量Ｍの値が属するメモリ容量範囲（Ｍ≧メモリ全体容量Ｐの５０％）が、前回報知した際のメモリ空き容量Ｍの値が属していたメモリ容量範囲から変化していないものと判断して、メモリ空き容量Ｍの報知を行なわないとしている。
【００７３】
また、ステップ８１３乃至ステップ８１８、ステップ８１９乃至ステップ８２４、及びステップ８２５乃至ステップ８２９については、発光色、報知時間間隔Ｔ及びメモリ空き容量フラグＦがメモリ空き容量Ｍに応じて異なる点を除いて、ステップ８０４乃至ステップ８０９と同様のステップであるため、説明を省略する。
【００７４】
一方、図８のＢに進むと、ステップ９３０及びステップ９３１については、図６の実施例１のステップ６１８及びステップ６１９と同様のステップであるため、説明を省略する。
【００７５】
一方、図８のＣに進むと、そのままステップ８０４に進む。
【００７６】
このように、実施例２では、メモリ１０５のメモリ空き容量Ｍの値が第１のメモリ容量範囲内から第２のメモリ容量範囲内に変化した場合、また、実施例１と同様に、メモリ空き容量Ｍに変化のない待受け状態であってもメモリ空き容量Ｍに応じた報知時間間隔Ｔが経過した場合、メモリ空き容量Ｍに応じて制御回路部１１２によって決定される発光色を用いて、ＬＥＤ部１０８が一定時間発光してユーザにメモリ空き容量Ｍを報知するため、ユーザが特別に意識することなく、直感的、効果的、そして正確にメモリ空き容量Ｍを把握することができる。
【００７７】
さらに、経過時間ｔが報知時間間隔Ｔ未満である場合、メモリ１０５のメモリ空き容量Ｍが変化したとしても、メモリ空き容量Ｍの値が属するメモリ容量範囲が変化しない限り、メモリ空き容量Ｍに応じた発光を行わないため、携帯電話装置１００のバッテリーを節約することができる。すなわち、例えば、前回報知した際のメモリ空き容量Ｍがメモリ全体容量Ｐの７０％であり、今回報知する際のメモリ空き容量Ｍがメモリ全体容量Ｐの５５％であったとしても、図８のステップ８０４より、メモリ空き容量Ｍがメモリ全体容量Ｐの５０％以上というメモリ容量範囲内に属することに変化はないため、メモリ空き容量Ｍの報知は行わない。よって、実施例２では、携帯電話装置１００のメモリ１０５のメモリ空き容量Ｍが変化する度に必ずメモリ空き容量を報知する実施例１と比較すると、ＬＥＤ部１０８の発光する回数を減らすことが可能となるため、ＬＥＤ部１０８の発光に伴うバッテリーの消耗を抑えることができる。さらに、携帯電話装置１００は、メモリ空き容量Ｍの値が第１のメモリ容量範囲内から第２のメモリ容量範囲内に変化した場合には、必ずメモリ空き容量Ｍを報知するため、ユーザが特別に意識することなく、メモリ空き容量Ｍを直感的、効果的、そして正確に把握することができる。
【００７８】
さらに、実施例１と同様に、携帯電話装置１００が待受け状態の場合にもメモリ空き容量を報知することにより、ユーザは、時間的、そして精神的に余裕のある状態においてメモリ空き容量を報知される可能性が高く、メモリ１０５に記憶されているユーザデータの整理を落ち着いて行うことができる。
【実施例３】
【００７９】
次に、本発明の実施例３について、図９及び図１０を参照して説明する。
【００８０】
実施例１では、図４及び図７より、メモリ空き容量Ｍ検出タイミングに基づいて、メモリ１０５のメモリ空き容量Ｍを常時検出していた。これに対して、実施例３では、メモリ空き容量Ｍに応じてメモリ空き容量Ｍを検出するタイミングを変化させることを特徴とする。
【００８１】
実施例３の携帯電話装置は、基本的な構成としては図１及び図２に記載の携帯電話装置１００を用いることとし、図９及び図１０に係る動作が実施例１とは異なる。
【００８２】
また、実施例３では、メモリ１０５のメモリ空き容量Ｍの報知の動作については、図５及び図６に記載の実施例１の方法、図５及び図８に記載の実施例２の方法、又は後述する以降の実施例の方法のいずれの方法を採用してもよく、実施例３では説明を省略する。また、メモリ空き容量Ｍの報知の動作として、メモリ空き容量Ｍを検出した直後にメモリ空き容量Ｍを報知する方法を採用してもよい。
【００８３】
図９は、実施例３において、メモリ１０５のメモリ空き容量Ｍを検出するタイミングを決定する動作を説明するためのフローチャートであり、図１０は、図９の動作に係るメモリ空き容量Ｍを検出するタイミングを説明するための図である。
【００８４】
図９及び図１０を用いて、実施例３におけるメモリ１０５のメモリ空き容量Ｍを検出するタイミングを決定する動作を説明する。
【００８５】
実施例３では、メモリ空き容量Ｍに応じて、メモリ１０５のメモリ空き容量Ｍを検出するタイミングを決定する。すなわち、携帯電話装置１００は、メモリ空き容量報知機能がＯＮに選択されているか否かを判断し（ステップ９０１）、メモリ空き容量報知機能がＯＮに選択されていなければ（ステップ９０１でＮＯ）、そのまま終了する。また、メモリ空き容量報知機能がＯＮに選択されていれば（ステップ９０１でＹＥＳ）、１を用いて検出タイミング係数Ｃの初期化を行う。ここで、検出タイミング係数Ｃは、図１０に示すように、メモリ空き容量Ｍの基準検出タイミングに乗算する係数であり、この検出タイミング係数Ｃを乗算することにより、実際にメモリ空き容量Ｍを検出するタイミングを決定するものである。次に、ステップ９０３及びステップ９０４については、図４に記載の実施例１のステップ４０２及び４０３と同様のステップであるため、説明を省略する。次に、検出したメモリ空き容量Ｍがメモリ１０５のメモリ全体容量Ｐの５０％未満であるか否かを判断し（ステップ９０５）、メモリ空き容量Ｍが５０％以上であれば（ステップ９０５でＮＯ）、検出タイミング係数Ｃを８分の１とし（ステップ９０６）、終了する。一方、メモリ空き容量Ｍが５０％未満であれば（ステップ９０５でＹＥＳ）、メモリ空き容量Ｍがメモリ全体容量Ｐの２５％未満であるか否かを判断し（ステップ９０７）、メモリ空き容量Ｍが２５％以上であれば（ステップ９０７でＮＯ）、検出タイミング係数Ｃを４分の１とし（ステップ９０８）、終了する。一方、メモリ空き容量Ｍが２５％未満であれば（ステップ９０７でＹＥＳ）、メモリ空き容量Ｍがメモリ全体容量Ｐの１０％未満であるか否かを判断し（ステップ９０９）、メモリ空き容量Ｍが１０％以上であれば（ステップ９０９でＮＯ）、検出タイミング係数Ｃを２分の１とし（ステップ９１０）、終了する。一方、メモリ空き容量Ｍが１０％未満であれば（ステップ９０９でＹＥＳ）、検出タイミングＣを１とし（ステップ９１１）、終了する。そして、メモリ空き容量に応じて決定された検出タイミング係数Ｃを図７に記載のメモリ空き容量Ｍの基準検出タイミングに乗算することにより、次回メモリ空き容量を検出するタイミング、すなわち、次回図９のフローチャートをスタートするタイミングを図７（Ａ）乃至図（Ｄ）のいずれかに決定する。例えば、今回検出したメモリ空き容量Ｍがメモリ全体容量Ｐの５０％以上であれば、図７（Ａ）に記載の検出するタイミングにより、図９に記載の動作を開始し、メモリ空き容量Ｍを検出する。
【００８６】
このように、実施例３では、今回検出したメモリ空き容量Ｍに応じて、次回検出するタイミングが変化するため、実施例１のように固定された検出タイミングに基づいてメモリ空き容量Ｍを常時検出する場合と比較して、携帯電話装置１００のバッテリーを節約することができる。すなわち、メモリ空き容量Ｍが多い場合、頻繁にメモリ空き容量Ｍを検出する必要性も低いと考えられるため、例えば、図１０（Ａ）に記載のように、メモリ空き容量Ｍが５０％以上である場合、次回メモリ空き容量Ｍを検出するタイミングを遅らせることにより、携帯電話装置１００が、メモリ空き容量Ｍの検出に伴うバッテリーの消耗を抑えることができる。さらに、メモリ空き容量Ｍが少ない場合、出来る限り最新の正確なメモリ空き容量Ｍを検出し、ユーザへの報知を行い、メモリ１０５に記憶されているユーザデータの消去やバックアップといった整理等を促す必要性が高いと考えられるため、例えば、図１０（Ｄ）に記載のように、メモリ空き容量Ｍが１０％未満である場合、次回メモリ空き容量Ｍを検出するタイミングを早めることにより、正確なメモリ空き容量Ｍを検出することができる。
【００８７】
なお、実施例３における検出タイミング係数Ｃの値は一例に過ぎず、どのような数値を設定してもよい。
【実施例４】
【００８８】
次に、本発明の実施例４について、図５及び図６を参照して説明する。
【００８９】
実施例１では、メモリ空き容量Ｍに変化のない待受け状態であってもメモリ空き容量Ｍに応じた報知時間間隔Ｔが経過した場合、ＬＥＤ部１０８が一定時間発光してユーザにメモリ空き容量Ｍの報知を行なっていた。これに対して、実施例４では、メモリ空き容量Ｍに応じた報知時間間隔Ｔは用いずに、メモリ空き容量Ｍに変化のない待受け状態であれば、メモリ空き容量Ｍとは関係なく一定時間経過した場合、ＬＥＤ部１０８が一定時間発光してユーザにメモリ空き容量Ｍの報知を行なうことを特徴とする。
【００９０】
実施例４の携帯電話装置は、基本的な構成としては図１及び図２に記載の携帯電話装置１００を用いることとし、図６のステップ６０７、ステップ６１０、ステップ６１３、及びステップ６１５を削除した点、さらに、図５のステップ５０１及び図６のステップ６２０に係る動作が実施例１とは異なる。
【００９１】
また、実施例４では、メモリ１０５のメモリ空き容量Ｍを所定の検出タイミングにより検出する動作については、図４に記載の実施例１のフローチャート、又は図９に記載の実施例３のフローチャートと同様であるため、説明を省略する。
【００９２】
図５及び図６は、実施例４において、検出されたメモリ空き容量Ｍを報知する動作を説明するためのフローチャートである。
【００９３】
図５及び図６を用いて、実施例２におけるメモリ１０５のメモリ空き容量Ｍの報知の動作を説明する。
【００９４】
まず、図５において、実施例１では、経過時間ｔ及び報知時間間隔Ｔの初期化を行なっていたが（図５のステップ５０１）、実施例２では、報知時間間隔Ｔは用いないため、図５のステップ５０１に変えて、携帯電話装置１００は、経過時間ｔのみの初期化を行う（図示しないステップ５６０）。なお、図５において、実施例４では、ステップ５６０以外のステップについては、実施例１のステップ５０２乃至ステップ５０６と同様のステップであるため説明を省略する。
【００９５】
次に、図６において、実施例１では、メモリ１０５のメモリ空き容量Ｍに応じて報知時間間隔Ｔを決定していたが（図６のステップ６０７、ステップ６１０、ステップ６１３、及びステップ６１５）、実施例４では、報知時間間隔Ｔは用いないため、図５のステップ６０７、ステップ６１０、ステップ６１３、及びステップ６１５を削除している。
【００９６】
また、図６において、実施例１では、携帯電話装置１００は、前回メモリ空き容量Ｍを報知してからどれだけ時間が経過したかを計測する経過時間ｔが、報知時間間隔Ｔ以上であるか否かの判断を行っていたが（図６のステップ６２０）、実施例４では、報知時間間隔Ｔは用いないため、図６のステップ６２０に変えて、携帯電話装置１００は、経過時間ｔが一定時間以上であるか否かの判断を行う（図示しないステップ６５０）。すなわち、図６のＣに進むと、経過時間ｔが一定時間未満であれば（ステップ６５０でＮＯ）、図５のＤに進み、一定時間以上であれば（ステップ６５０でＹＥＳ）、ステップ６０４に進む。なお、図６において、実施例４では、ステップ６０７、ステップ６１０、ステップ６１３、及びステップ６１５を削除した点、及びステップ６５０以外のステップについては、実施例１のステップ６０１乃至ステップ６１９と同様のステップであるため説明を省略する。
【００９７】
このように、実施例４では、メモリ１０５のメモリ空き容量Ｍが変化した場合、また、メモリ空き容量Ｍに変化のない待受け状態であれば、メモリ空き容量Ｍに関係なく定められた一定時間を経過した場合に、メモリ空き容量Ｍに応じて制御回路部１１２によって決定される発光色を用いて、ＬＥＤ部１０８が一定時間発光してユーザにメモリ空き容量Ｍを報知するため、ユーザが意識することなく、効果的にそして正確にメモリ空き容量Ｍを把握することができる。
【００９８】
さらに、携帯電話装置１００は、メモリ空き容量Ｍに関係なく一定時間毎にメモリ空き容量Ｍを報知するため、メモリ空き容量Ｍに応じて報知するタイミングが変化する実施例１と比較して、どのようなメモリ空き容量Ｍであっても、ユーザが特別に意識することなく、直感的、効果的、そして正確にメモリ空き容量Ｍを把握する機会を均等に与えることができる。
【実施例５】
【００９９】
次に、本発明の実施例５について、図１１及び図１２を参照して説明する。
【０１００】
実施例１では、ＬＥＤ部１０８が一定時間発光してユーザにメモリ空き容量Ｍの報知を行なっていた。これに対して、実施例５では、メモリ空き容量Ｍに応じて、携帯電話装置１００は、メモリ空き容量Ｍを報知する報知手段を変更することを特徴とする。
【０１０１】
実施例５の携帯電話装置は、基本的な構成としては図１及び図２に記載の携帯電話装置１００を用いることとし、メモリ空き容量Ｍに応じて、ＬＥＤ部１０８や背面表示部１０７等、メモリ空き容量Ｍを報知する報知手段を変更する点において実施例１とは異なる。
【０１０２】
また、実施例５では、メモリ１０５のメモリ空き容量Ｍを所定の検出タイミングにより検出する動作については、図４に記載の実施例１のフローチャート、又は図９に記載の実施例３のフローチャートと同様であり、また、メモリ１０５のメモリ空き容量Ｍの報知を行なう前半の動作については、図５に記載の実施例１のフローチャートと同様であるため、説明を省略する。
【０１０３】
図１１は、実施例５において、図５のフローチャートから続いている、検出されたメモリ空き容量Ｍの報知を行なう後半の動作を説明するためのフローチャートであり、図１２は、メモリ空き容量Ｍの報知手段の変更例を示す図である。
【０１０４】
図１１及び図１２を用いて、実施例５におけるメモリ１０５のメモリ空き容量Ｍの報知の動作を説明する。
【０１０５】
まず、図１１において、ステップ１１０１乃至ステップ１１１８は、図６のステップ６０１乃至ステップ６１５、及びステップ６２０と同様のステップであるため、説明を省略する。
【０１０６】
次に、メモリ空き容量Ｍが少なくともメモリ１０５のメモリ全体容量Ｐの１０％以上である場合（ステップ１１０５でＮＯ、ステップ１１０８でＮＯ、又はステップ１１１１でＮＯ）、携帯電話装置１００は、設定された発光色（ステップ１１０６、ステップ１１０９、又はステップ１１１２）を用いて、ＬＥＤ部１０８が発光することによりユーザにメモリ空き容量Ｍを報知し（ステップ１１１９）、一定時間経過したか否かを判断する（ステップ１１２０）。一定時間経過していなければ（ステップ１１２０でＮＯ）、ＬＥＤ部１０８による発光を続け、一定時間経過したならば（ステップ１１２０でＹＥＳ）、ＬＥＤ部１０８による発光を終了し、図５のＤに進む。
【０１０７】
一方、メモリ空き容量Ｍがメモリ１０５のメモリ全体容量Ｐの１０％未満である場合（ステップ１１１１でＹＥＳ）、携帯電話装置１００は、設定された発光色（ステップ１１１４）を用いて、図１２（ａ）に記載のように、背面表示部１０７が発光することによりユーザにメモリ空き容量Ｍを報知し（ステップ１１２１）、一定時間経過したか否かを判断する（ステップ１１２２）。一定時間経過していなければ（ステップ１１２２でＮＯ）、背面表示部１０７による発光を続け、一定時間経過したならば（ステップ１１２２でＹＥＳ）、背面表示部１０７による発光を終了し、図５のＤに進む。
【０１０８】
このように、実施例５では、メモリ１０５のメモリ空き容量Ｍに応じて、携帯電話装置１００は、メモリ空き容量Ｍを報知する報知手段を変更する。よって、例えば、メモリ空き容量Ｍが少なくとも１０％以上である場合、ＬＥＤ部１０８が発光し、メモリ空き容量Ｍが１０％未満である場合、背面表示部１０７が発光するため、発光する色の違いに加えて、メモリ空き容量Ｍを報知する報知手段の違いによって、ユーザが特別に意識することなく、直感的、効果的、そして正確にメモリ空き容量Ｍを把握することができる。
【０１０９】
なお、実施例５では、少なくともメモリ空き容量Ｍが１０％以上であるか否かによって、メモリ空き容量Ｍの報知手段を変更したが、さらに、例えば、メモリ空き容量Ｍが５０％以上の場合、メモリ空き容量Ｍが２５％以上５０％未満の場合、又はメモリ空き容量Ｍが１０％以上２５％未満の場合、それぞれメモリ空き容量Ｍを報知する手段を変更するようにしてもよい。
【０１１０】
また、メモリ空き容量Ｍが減少するほど、メモリ空き容量Ｍの報知を行なう報知手段として、よりユーザへ積極的に報知を行なうことが可能な報知手段に変更することが好ましい。例えば、メモリ空き容量Ｍが１０％未満の場合、図１２（ｂ）に記載のように、背面表示部１０７及びＬＥＤ部１０８が発光することによりユーザにメモリ空き容量Ｍを報知するようにしてもよい。また、メモリ空き容量Ｍが１０％未満の場合、図１２（ｃ）に記載のように、ＬＥＤ部１０８が発光するとともにスピーカ部１０５が所定の音声を用いて音声出力することにより、視覚的のみならず聴覚的にもユーザにメモリ空き容量Ｍを報知するようにしてもよい。さらにこの時、メモリ空き容量Ｍに応じて、例えば、スピーカ部１０５から出力される音声の音量、音声の種類、又は音声の演奏速度等を変更するようにしてもよい。また、メモリ空き容量Ｍが１０％未満の場合、図１２（ｄ）に記載のように、ＬＥＤ部１０８が発光するとともにバイブレータからなる振動部１１０が振動することにより、視覚的のみならず触覚的にもユーザにメモリ空き容量Ｍを報知するようにしてもよい。さらにこの時、メモリ空き容量Ｍに応じて、例えば、振動部１１０の振動パターン又は振動強弱等を変更するようにしてもよい。また、図１２（ｃ）及び図１２（ｄ）では、ＬＥＤ部１０８に加えて、スピーカ部１０５又は振動部１１０が報知手段となったが、例えば、ＬＥＤ部１０８ではなく、背面表示部１０７に加えて、スピーカ部１０５又は振動部１１０が報知手段となってもよい。また、ＬＥＤ部１０８又は背面表示部１０７といった発光手段を用いずに、スピーカ部１０５単体又は振動部１１０単体によりメモリ空き容量Ｍの報知を行なうようにしてもよい。
【実施例６】
【０１１１】
次に、本発明の実施例６について、図１１を参照して説明する。
【０１１２】
実施例５では、メモリ空き容量Ｍに応じて、携帯電話装置１００は、例えば、ＬＥＤ部１０８や背面表示部１０７等、メモリ空き容量Ｍを報知する報知手段を変更していた。これに対して、実施例６では、メモリ空き容量Ｍを報知する報知手段が点滅して発光することの可能なＬＥＤ部１０８や背面表示部１０７等の発光手段である場合、メモリ空き容量Ｍに応じて、発光手段毎に点滅時間間隔Ｂを変更することを特徴とする。
【０１１３】
実施例６の携帯電話装置は、基本的な構成としては図１及び図２に記載の携帯電話装置１００を用いることとし、図１１のステップ１１０４に係る動作、及びＬＥＤ部１０８や背面表示部１０７等が点滅して発光するための点滅時間間隔Ｂを決定するステップを設けた点において実施例５とは異なる。
【０１１４】
また、実施例６では、メモリ１０５のメモリ空き容量Ｍを所定の検出タイミングにより検出する動作については、図４に記載の実施例１のフローチャート、又は図９に記載の実施例３のフローチャートと同様であり、また、メモリ１０５のメモリ空き容量Ｍの報知を行なう前半の動作については、図５に記載の実施例１のフローチャートと同様であるため、説明を省略する。
【０１１５】
図１１は、実施例６において、図５のフローチャートから続いている、検出されたメモリ空き容量Ｍの報知を行なう後半の動作を説明するためのフローチャートである。
【０１１６】
図１１を用いて、実施例６におけるメモリ１０５のメモリ空き容量Ｍの報知の動作を説明する。
【０１１７】
まず、図１１において、実施例５では、メモリ１０５のメモリ空き容量Ｍをユーザに報知することが決まった場合、０を用いて経過時間ｔの初期化を行なっていたが（図１１のステップ１１０４）、実施例６では、図１１のステップ１１０４に変えて、携帯電話装置１００は、前回メモリ空き容量Ｍを報知してからどれだけ時間が経過したかを計測する経過時間ｔ及び点滅時間間隔Ｂの初期化を行なう（図示しないステップ１１５０）。ここで、点滅時間間隔Ｂは、ＬＥＤ部１０８や背面表示部１０７等が点滅して発光するための時間間隔であり、ＮＵＬＬを用いて初期化を行なう。
【０１１８】
さらに、図１１において、実施例５では、メモリ空き容量Ｍに応じて、携帯電話装置１００は、例えば、ＬＥＤ部１０８や背面表示部１０７等、メモリ空き容量Ｍを報知する報知手段を変更するのみであったが（ステップ１１１９及びステップ１１２１）、実施例６では、図１１のステップ１１１９の前段において、ＬＥＤ部１０８が点滅して発光するための点滅時間間隔ＢをＢ_Ｌｅｄと設定し（図示しないステップ１１５１）、図１１のステップ１１１９に変えて、携帯電話装置１００は、ステップ１１０６、ステップ１１０９、又はステップ１１１２において設定された発光色及びステップ１１５１において設定された点滅時間間隔Ｂに基づいて、ＬＥＤ部１０８が点滅して発光を行うことによりユーザにメモリ空き容量Ｍの報知を行なう（ステップ１１５２）。また、実施例６では、図１１のステップ１１２１の前段において、背面表示部１０７が点滅して発光するための点滅時間間隔ＢをＢ_Ｌｃｄと設定し（図示しないステップ１１５３）、図１１のステップ１１２１に変えて、携帯電話装置１００は、ステップ１１１４において設定された発光色及びステップ１１５３において設定された点滅時間間隔Ｂに基づいて、背面表示部１０７が点滅して発光を行うことによりユーザにメモリ空き容量Ｍの報知を行なう（ステップ１１５４）。なお、図１１において、ステップ１１５０乃至ステップ１１５４以外のステップについては、実施例５のステップと同様のステップであるため説明を省略する。
【０１１９】
このように、実施例６では、メモリ空き容量Ｍを報知する報知手段が点滅して発光することの可能なＬＥＤ部１０８や背面表示部１０７等の発光手段である場合、メモリ空き容量Ｍに応じて、発光手段毎に点滅時間間隔Ｂを変更する。よって、例えば、メモリ空き容量Ｍが少なくともメモリ１０５のメモリ全体容量Ｐの１０％以上である場合、ＬＥＤ部１０８が点滅時間間隔Ｂ_Ｌｅｄに基づいて点滅して発光し、メモリ空き容量Ｍが１０％未満である場合、背面表示部１０７が点滅時間間隔Ｂ_Ｌｃｄに基づいて点滅して発光するため、発光する色の違い、報知時間間隔Ｔ、及びメモリ空き容量Ｍを報知する報知手段の違いに加えて、メモリ空き容量Ｍに応じた発光手段毎の点滅時間間隔Ｂの違いによって、ユーザが特別に意識することなく、直感的、効果的、そして正確にメモリ空き容量Ｍを把握することができる。
【０１２０】
なお、実施例６では、メモリ空き容量Ｍに応じて、メモリ空き容量Ｍを報知する報知手段を変更しているが、いずれのメモリ空き容量Ｍにおいても、例えば、ＬＥＤ部１０８を用いることとし、メモリ空き容量Ｍに応じて、点滅時間間隔Ｂのみを変更するようにしてもよい。
【０１２１】
また、点滅時間間隔Ｂは、メモリ空き容量Ｍが減少するほど短くなるように設定することが好ましい。
【実施例７】
【０１２２】
次に、本発明の実施例７について、図１３を参照して説明する。
【０１２３】
実施例５では、メモリ空き容量Ｍに応じて、携帯電話装置１００は、例えば、ＬＥＤ部１０８や背面表示部１０７等、メモリ空き容量Ｍを報知する報知手段を変更していた。これに対して、実施例７では、発光色に変化がない場合であっても、さらに、メモリ空き容量Ｍに応じて、点滅時間間隔Ｂを変更することを特徴とする。
【０１２４】
実施例７の携帯電話装置は、基本的な構成としては図１及び図２に記載の携帯電話装置１００を用いることとし、メモリ空き容量Ｍの値が属するメモリ容量範囲に変化がなく発光色に変化がなくても、さらにメモリ空き容量Ｍに応じて、背面表示部１０７が点滅して発光するための点滅時間間隔Ｂを決定するステップを設けた点において実施例５とは異なる。
【０１２５】
また、実施例７では、メモリ１０５のメモリ空き容量Ｍを所定の検出タイミングにより検出する動作については、図４に記載の実施例１のフローチャート、又は図９に記載の実施例３のフローチャートと同様であり、また、メモリ１０５のメモリ空き容量Ｍの報知を行なう前半の動作については、図５に記載の実施例１のフローチャートと同様であるため、説明を省略する。
【０１２６】
図１３は、実施例７において、図５のフローチャートから続いている、検出されたメモリ空き容量Ｍの報知を行なう後半の動作を説明するためのフローチャートである。
【０１２７】
図１３を用いて、実施例７におけるメモリ１０５のメモリ空き容量Ｍの報知の動作を説明する。
【０１２８】
まず、図１３において、実施例７では、ステップ１３０１乃至ステップ１３２０については、図１１に記載の実施例５のステップ１１０１乃至ステップ１１２０と同様のステップであるため、説明を省略する。
【０１２９】
次に、図１３において、メモリ空き容量Ｍがメモリ１０５のメモリ全体容量Ｐの１０％未満であり（ステップ１３１３でＹＥＳ）、発光色及び報知時間間隔Ｔをそれぞれ設定すると（ステップ１３１６及びステップ１３１７）、携帯電話装置１００は、ＮＵＬＬを用いて背面表示部１０７が点滅して発光するための点滅時間間隔Ｂの初期化を行なう（ステップ１３２１）。次に、メモリ空き容量Ｍが５％未満であるか否かを判断し（ステップ１３２２）、メモリ空き容量Ｍが５％以上であれば（ステップ１３２２でＮＯ）、点滅時間間隔ＢをＢ_Ｌｏｎｇに設定する（ステップ１３２３）。一方、メモリ空き容量Ｍが５％未満であれば（ステップ１３２２でＹＥＳ）、メモリ空き容量Ｍがの２％未満であるか否かを判断し（ステップ１３２４）、メモリ空き容量Ｍが２％以上であれば（ステップ１３２４でＮＯ）、点滅時間間隔ＢをＢ_Ｍｉｄｄｌｅに設定する（ステップ１３２５）。一方、メモリ空き容量Ｍが２％未満であれば（ステップ１３２４）、点滅時間間隔をＢ_Ｓｈｏｒｔに設定する（ステップ１３２６）。
【０１３０】
次に、携帯電話装置１００は、ステップ１３２３、ステップ１３２５、又はステップ１３２６において設定された点滅時間間隔Ｂに基づいて、背面表示部１０７が点滅して発光を行うことによりユーザにメモリ空き容量Ｍを報知し（ステップ１１２７）、一定時間経過したか否かを判断する（ステップ１３２８）。一定時間経過していなければ（ステップ１３２８でＮＯ）、点滅時間間隔Ｂに基づいた背面表示部１０７による発光を続け、一定時間経過したならば（ステップ１３２８でＹＥＳ）、点滅時間間隔Ｂに基づいた背面表示部１０７による発光を終了し、図５のＤに進む。
【０１３１】
このように、実施例７では、発光色に変化がない場合であっても、さらに、メモリ１０５のメモリ空き容量Ｍに応じて、点滅時間間隔Ｂを変更する。よって、例えば、メモリ空き容量Ｍがメモリ１０５のメモリ全体容量Ｐの５％以上１０％未満である場合、背面表示部１０７が点滅時間間隔Ｂ_Ｌｏｎｇに基づいて点滅して発光し、メモリ空き容量Ｍが２％以上５％未満である場合、背面表示部１０７が点滅時間間隔Ｂ_Ｍｉｄｄｌｅに基づいて点滅して発光し、メモリ空き容量Ｍが２％未満である場合、背面表示部１０７が点滅時間間隔Ｂ_Ｓｈｏｒｔに基づいて点滅して発光するため、発光する色の違い、報知時間間隔Ｔの違い、及びメモリ空き容量Ｍを報知する報知手段の違いに加えて、発光色に変化がない場合であっても、さらにメモリ空き容量Ｍに応じた発光手段の点滅時間間隔Ｂの違いによって、ユーザが特別に意識することなく、直感的、効果的、そして正確にメモリ空き容量Ｍを把握することができる。
【０１３２】
なお、実施例７では、メモリ空き容量Ｍが１０％未満の場合のみ、さらにメモリ空き容量Ｍに応じて発光手段の点滅時間間隔Ｂが変更しているが、例えば、メモリ空き容量Ｍが５０％以上の場合等、他のメモリ空き容量Ｍの場合についても、携帯電話装置１００は、メモリ空き容量Ｍが１０％未満の場合と同様に、さらにメモリ空き容量Ｍに応じて発光手段の点滅時間間隔Ｂを変更するようにしてもよい。
【０１３３】
また、実施例７では、メモリ空き容量Ｍに応じて、メモリ空き容量Ｍを報知する報知手段を変更しているが、いずれのメモリ空き容量Ｍにおいても、例えば、背面表示部１０７を用いることとし、発光色に変化がない場合であっても、さらに、メモリ空き容量Ｍに応じて、点滅時間間隔Ｂのみを変更するようにしてもよい。
【０１３４】
また、点滅時間間隔Ｂは、メモリ空き容量Ｍが減少するほど短くなるように設定することが好ましい。
【実施例８】
【０１３５】
次に、本発明の実施例８について、図１３及び図１４を参照して説明する。
【０１３６】
実施例７では、発光色に変化がない場合であっても、さらに、メモリ空き容量Ｍに応じて、点滅時間間隔Ｂを変更していた。これに対して、実施例８では、段階的にメモリ空き容量Ｍを示す発光色の発光面積が変化することを特徴する。
【０１３７】
実施例８の携帯電話装置は、基本的な構成としては図１及び図２に記載の携帯電話装置１００を用いることとし、第１の発光色及び第２の発光色を設定するステップ、及び背面表示部１０７における発光色の発光面積を決定するステップを設けた点において実施例７とは異なる。
【０１３８】
また、実施例８では、メモリ１０５のメモリ空き容量Ｍを所定の検出タイミングにより検出する動作については、図４に記載の実施例１のフローチャート、又は図９に記載の実施例３のフローチャートと同様であり、また、メモリ１０５のメモリ空き容量Ｍの報知を行なう前半の動作については、図５に記載の実施例１のフローチャートと同様であるため、説明を省略する。
【０１３９】
図１３は、実施例において、図５のフローチャートから続いている、検出されたメモリ空き容量Ｍの報知を行なう後半の動作を説明するためのフローチャートであり、図１４は、メモリ空き容量Ｍがメモリ１０５のメモリ全体容量Ｐの１０％未満における背面表示部１０７の発光色の発光面積の変化を具体的に表した図である。
【０１４０】
図１３を用いて、実施例８におけるメモリ１０５のメモリ空き容量Ｍの報知の動作を説明する。
【０１４１】
まず、実施例７では、メモリ１０５のメモリ空き容量Ｍがメモリ１０５のメモリ全体容量Ｐの１０％未満である場合、発光色をＲｅｄに設定していたが（図１３のステップ１３１６）、実施例８では、図１３のステップ１３１６に変えて、携帯電話装置１００は、第１の発光色を図１３のステップ１３１４において用いられるＹｅｌｌｏｗに設定し、第２の発光色をＲｅｄに設定する（図示しないステップ１３５０）。
【０１４２】
さらに、図１３において、実施例７では、ＮＵＬＬを用いて点滅時間間隔Ｂの初期化を行なっていたが（図１３のステップ１３２１）、実施例８では、図１３のステップ１３２１に変えて、携帯電話装置１００は、ＮＵＬＬを用いて発光面積指定変数Ａの初期化を行う（図示しないステップ１３５１）。ここで、発光面積指定変数Ａは、ステップ１３５０において設定された第２の発光色による発光面積を指定するための変数である。
【０１４３】
さらに、図１３において、実施例７では、メモリ空き容量Ｍが５％未満であるか否か、及びメモリ空き容量Ｍが２％未満であるか否かを判断して（ステップ１３２２、ステップ１３２４、及びステップ１３２６）、点滅時間間隔ＢをＢ_Ｌｏｎｇ、Ｂ_Ｍｉｄｄｌｅ、又はＢ_Ｓｈｏｒｔのいずれかに設定していたが（ステップ１３２３、ステップ１３２５、又はステップ１３２６）、実施例８では、図１３のステップ１３２３、ステップ１３２５、及びステップ１３２６に変えて、携帯電話装置１００は、それぞれ、発光面積指定変数ＡをＡ_Ｓｍａｌｌ、Ａ_Ｍｉｄｄｌｅ、及びＡ_Ｌａｒｇｅに設定する（図示しないステップ１３５２、ステップ１３５３、及びステップ１３５４）。
【０１４４】
さらに、図１３において、実施例７では、設定された発光色及び点滅時間間隔Ｂを用いて背面表示部１０７が点滅して発光することにより、ユーザにメモリ空き容量Ｍの報知を行なっていたが（ステップ１３２７）、実施例８では、図１３のステップ１３２７に変えて、設定された第１の発光色、第２の発光色、及び発光面積指定変数Ａを用いて背面表示部１０７が発光する（図示しないステップ１３５５）。なお、図１３において、実施例８では、ステップ１３５０乃至１３５５以外のステップについては、実施例７のステップと同様のステップであるため、説明を省略する。
【０１４５】
したがって、例えば、メモリ空き容量Ｍがメモリ１０５のメモリ全体容量Ｐの５％以上１０％未満の場合、発光面積指定変数ＡはＡ_Ｓｍａｌｌとなるため（図示しないステップ１３５２）、第１の発光色であるＹｅｌｌｏｗに対して、第２の発光色であるＲｅｄの発光面積は、図１４（ａ）に記載のように狭い。また、メモリ空き容量Ｍが２％以上５％未満の場合、発光面積指定変数ＡはＡ_Ｍｉｄｄｌｅとなるため（図示しないステップ１３５３）、図１４（ａ）の場合と比較して、第１の発光色であるＹｅｌｌｏｗに対して、第２に発光色であるＲｅｄの発光面積は、図１４（ｂ）に記載のように広い。また、メモリ空き容量Ｍが２％未満の場合、発光面積指定変数ＡはＡ_Ｌａｒｇｅとなるため（図示しないステップ１３５４）、図１４（ｂ）の場合と比較して、第１の発光色であるＹｅｌｌｏｗに対して、第２の発光色であるＲｅｄの発光面積は、図１４（ｃ）に記載のようにさらに広い。
【０１４６】
このように、実施例８では、段階的にメモリ空き容量Ｍを示す発光色の発光面積が変化することにより、例えば、メモリ空き容量Ｍがメモリ１０５のメモリ全体容量Ｐの１０％未満である場合、実施例７のように単に背面表示部１０７の全面を発光色Ｒｅｄを用いて発光するのではなく、さらにメモリ空き容量Ｍに応じて、発光色Ｒｅｄが背面表示部１０７に占める発光面積の割合が段階的に増減するため、ユーザが特別に意識することなく、直感的、効果的、そして正確にメモリ空き容量Ｍを把握することができる。
【０１４７】
なお、実施例８では、メモリ空き容量Ｍがメモリ１０５のメモリ全体容量Ｐの１０％未満の場合、さらにメモリ空き容量Ｍに応じて、第１の発光色及び第２の発光色の発光面積が変化しているが、メモリ空き容量Ｍの値が他のメモリ容量範囲内に属する場合、例えば、メモリ空き容量Ｍが１０％以上２５％未満の場合においても、実施例８と同様に発光面積を変化させてもよい。このとき、ＬＥＤ部１０８の発光（図１３のステップ１３０８）について、ＬＥＤ部１０８の発光可能な全体面積が狭い場合は、例えば、少なくとも背面表示部１０７の発光面積が変化するように発光することが好ましい。また、このとき、第１の発光色は図１３のステップ１３１１において用いられるＧｒｅｅｎに設定し、第２の発光色はＹｅｌｌｏｗに設定すればよい。
【０１４８】
また、発光面積指定変数Ａにより指定される面積は、メモリ空き容量Ｍが減少するほど、第２の発光色による発光面積が広くなることが好ましい。
【実施例９】
【０１４９】
次に、本発明の実施例９について、図６を参照して説明する。
【０１５０】
実施例１では、携帯電話装置１００のメモリ１０５のメモリ空き容量Ｍが変化した場合、また、メモリ空き容量Ｍに変化のない待受け状態であってもメモリ空き容量Ｍに応じた報知時間間隔Ｔが経過した場合、ＬＥＤ部１０８が一定時間発光してユーザにメモリ空き容量Ｍの報知を行なっていた。これに対して、実施例９では、ＬＥＤ部１０８が、一定時間ではなく、メモリ空き容量Ｍに応じて決定される発光時間Ｎ経過するまで発光することを特徴する。
【０１５１】
実施例９の携帯電話装置は、基本的な構成としては図１及び図２に記載の携帯電話装置１００を用いることとし、図６のステップ６０７、ステップ６１０、ステップ６１３、及びステップ６１５の後段に発光時間Ｎを決定するステップを設けた点、また、ステップ６１６の前段にＬＥＤ部１０８が発光することによりメモリ空き容量Ｍを報知し始めてからどれだけ時間が経過したかを計測する発光経過時間ｎを０を用いて初期化するステップを設けた点、さらに、図６のステップ６１７に係る動作が実施例１とは異なる。
【０１５２】
また、実施例９では、メモリ１０５のメモリ空き容量Ｍを所定の検出タイミングにより検出する動作については、図４に記載の実施例１のフローチャート、又は図９に記載の実施例３のフローチャートと同様であり、また、メモリ１０５のメモリ空き容量Ｍの報知を行なう前半の動作については、図５に記載の実施例１のフローチャートと同様であるため、説明を省略する。
【０１５３】
図６は、実施例９において、図５のフローチャートから続いている、検出されたメモリ空き容量Ｍの報知を行なう後半の動作を説明するためのフローチャートである。
【０１５４】
図６を用いて、実施例９におけるメモリ１０５のメモリ空き容量Ｍの報知の動作を説明する。
【０１５５】
まず、図６において、実施例１では、メモリ１０５のメモリ空き容量Ｍに応じて、発光色及び報知時間間隔Ｔを設定していたが、実施例９では、図６のステップ６０７、ステップ６１０、ステップ６１３、及びステップ６１５の後段において、ユーザに対してメモリ空き容量Ｍの報知をどれだけの時間行なうかを決定する発光時間ＮをそれぞれＮ_Ｂｌｕｅ、Ｎ_Ｇｒｅｅｎ、Ｎ_Ｙｅｌｌｏｗ、及びＮ_Ｒｅｄを用いて設定する（図示しないステップ６６０、ステップ６６１、ステップ６６２、及びステップ６６３）。
【０１５６】
さらに、実施例１では、設定された発光色を用いてＬＥＤ部１０８が発光することによりユーザにメモリ空き容量Ｍの報知を行なうが（図６のステップ６１６）、実施例９では、図６のステップ６１６の前段において、０を用いて発光経過時間ｎの初期化を行なう（図示しないステップ６６４）。さらに、実施例１では、設定された発光色を用いた発光がＬＥＤ部１０８により一定時間以上行なわれたか否かを判断していたが（図６のステップ６１７）、実施例９では、図６のステップ６１７に変えて、発光経過時間ｎが発光時間N以上であるか否かを判断することにより（図示しないステップ６６５）、設定された発光色を用いた発光がＬＥＤ部１０８によりメモリ１０５のメモリ空き容量Ｍに応じて設定された発光時間Ｎ以上行なわれたか否かを判断し、発光経過時間ｎが発光時間Ｎ未満であれば（ステップ６６５でＮＯ）、ステップ６１６に戻りＬＥＤ１０８による発光を続け、発光経過時間ｎが発光時間Ｎ以上であれば（ステップ６６５でＹＥＳ）、図５のＤに進む。なお、図６において、実施例９では、ステップ６６０乃至６６５以外のステップについては、実施例１のステップと同様のステップであるため説明を省略する。
【０１５７】
このように、実施例９では、ＬＥＤ部１０８が、メモリ空き容量Ｍに応じて決定される発光時間Ｎ経過するまで発光することにより、どのようなメモリ空き容量Ｍであっても一定時間発光していた実施例１と比較して、ユーザが特別に意識することなく、直感的、効果的、そして正確にメモリ空き容量Ｍを把握することができる。
【０１５８】
なお、メモリ１０５のメモリ空き容量Ｍが少ない場合、ユーザに対して、メモリ１０５に記憶されているユーザデータの消去やバックアップといった整理等を促す必要性が高いと考えられるため、メモリ空き容量Ｍが減少するほど発光時間Ｎを長くすることが好ましい。
【実施例１０】
【０１５９】
次に、本発明の実施例１０について、図１５乃至図１７を参照して説明する。
【０１６０】
実施例１では、携帯電話装置１００のメモリ１０５のメモリ空き容量Ｍが変化した場合、また、メモリ空き容量Ｍに変化のない待受け状態であってもメモリ空き容量Ｍに応じた報知時間間隔Ｔが経過した場合、ＬＥＤ部１０８が一定時間発光してユーザにメモリ空き容量Ｍの報知を行なっていた。これに対して、実施例１０では、例えば、カメラ機能を有するカメラ部１０３、又はメール送受信機能やインターネットサーバ接続機能を有する回線接続部１０２等のデータ取得手段を用いることにより記憶されるユーザデータについて、機能毎にユーザデータを記憶するメモリ容量Ｐ_Ｕｓｅが割り当てられており、実行中の機能に割り当てられたメモリ容量Ｐ_Ｕｓｅのメモリ空き容量Ｍ_Ｕｓｅをユーザに報知することを特徴とする。
【０１６１】
実施例１０の携帯電話装置は、基本的な構成としては図１及び図２に記載の携帯電話装置１００を用いることとし、実行中の機能毎に割り当てられたメモリ容量Ｐ_Ｕｓｅのメモリ空き容量Ｍ_Ｕｓｅを報知する点において実施例１とは異なる。
【０１６２】
図１５及び図１６は、実行中の機能に割り当てられたメモリ容量Ｐ_Ｕｓｅのメモリ空き容量Ｍ_Ｕｓｅを報知する動作を説明するためのフローチャートである。
【０１６３】
図１５及び図１６を用いて、実施例１０における実行中の機能に割り当てられたメモリ容量Ｐ_Ｕｓｅのメモリ空き容量Ｍ_Ｕｓｅを報知する動作を説明する。
【０１６４】
まず、携帯電話装置１００は、実施例１と同様に経過時間ｔ及び報知時間間隔Ｔを最もメモリ空き容量Ｍ_Ｕｓｅが少ないと判断される場合の報知時間間隔Ｔ_Ｒｅｄを用いて初期化を行なうとともに、現在実行機能フラグＦ_Ｕｓｅ及び前回実行機能フラグＦ_ＯｌｄをＮＵＬＬを用いて初期化を行なう（ステップ１５０１）。ここで、現在実行機能フラグＦ_Ｕｓｅとは、現在実行中の機能を判別するためのフラグであり、実施例１０では、Ｆ_Ｕｓｅ＝１の場合、カメラ部１０３を用いてカメラ機能を実行中であることを表し、Ｆ_Ｕｓｅ＝２の場合、回線接続部１０２を用いてメール機能を実行中であることを表し、Ｆ_Ｕｓｅ＝３の場合、回線接続部１０を用いてインターネットサーバ接続機能を実行中であることを表すものとする。また、前回実行機能フラグＦ_Ｏｌｄとは、実行中の機能に割り当てられたメモリ容量Ｐ_Ｕｓｅのメモリ空き容量Ｍ_Ｕｓｅをユーザに報知した後に、次回実行する機能が今回実行した機能と同じであるか否かを判断するために現在実行機能フラグＦ_Ｕｓｅが入力される。次に、メモリ空き容量報知機能がＯＮに選択されているか否かを判断し（ステップ１５０２）、メモリ空き容量報知機能がＯＮに選択されていなければ（ステップ１５０２でＮＯ）、そのまま終了する。また、メモリ空き容量報知機能がＯＮに選択されていれば（ステップ１５０２でＹＥＳ）、カメラ部１０３を用いてカメラ機能を実行中であるか否かを判断し（ステップ１５０３）、カメラ機能を実行中であれば（ステップ１５０３でＹＥＳ）、現在実行機能フラグＦ_Ｕｓｅに１を設定し、図１６のＥに進む。一方、カメラ機能を実行中でなければ（ステップ１５０３でＮＯ）、回線接続部１０２を用いてメール送受信機能を実行中であるか否かを判断し（ステップ１５０５）、メール送受信機能を実行中であれば（ステップ１５０５でＹＥＳ）、現在実行機能フラグＦ_Ｕｓｅに２を設定し、図１６のＥに進む。一方、メール送受信機能を実行中でなければ（ステップ１５０５でＮＯ）、回線接続部１０２を用いてインターネットサーバ接続機能を実行中であるか否かを判断し（ステップ１５０７）、インターネットサーバ接続機能を実行中であれば（ステップ１５０７でＹＥＳ）、現在実行機能フラグＦ_Ｕｓｅに３を設定し、図１６のＥに進む。一方、インターネットサーバ接続機能を実行中でなければ（ステップ１５０７でＮＯ）、ステップ１５０２に戻る。
【０１６５】
次に、図１６のＥに進むと、現在実行機能フラグＦ_Ｕｓｅが前回実行機能フラグＦ_Ｏｌｄと一致するか否かを判断し（ステップ１６０１）、一致しなければ（ステップ１６０１でＮＯ）、現在実行中の機能に割り当てられたメモリ容量Ｐ_Ｕｓｅのメモリ空き容量Ｍ_Ｕｓｅを検出し（ステップ１６０２）、ステップ１６０３に進む。ここで、メモリ空き容量Ｍ_Ｕｓｅの検出方法としては、例えば、図４のステップ４０２及びステップ４０３に記載の積算容量Ｑ及びメモリ全体容量Ｐに変えて、現在実行中の機能用の積算容量Ｑ_Ｕｓｅ及び現在実行中の機能に割り当てられたメモリ容量Ｐ_Ｕｓｅとすることにより、積算容量Ｑ_Ｕｓｅを積算容量記憶用メモリ１１１から読み出し、メモリ容量Ｐ_Ｕｓｅから、読み出した積算容量Ｑ_Ｕｓｅを減算することにより、現在実行中の機能のメモリ空き容量Ｍ_Ｕｓｅを検出すればよい。
【０１６６】
次に、ステップ１６０３乃至ステップ１６１６については、メモリ空き容量Ｍが現在実行中の機能のメモリ空き容量Ｍ_Ｕｓｅに変更された以外は図６のステップ６０４乃至ステップ６１７と同様のステップであるため、説明を省略する。
【０１６７】
次に、現在実行中の機能に割り当てられたメモリ容量Ｐ_Ｕｓｅのメモリ空き容量Ｍ_Ｕｓｅをユーザに報知し終えたならば（ステップ１６１６でＹＥＳ）現在実行機能フラグＦ_Ｕｓｅを前回実行機能フラグＦ_Ｏｌｄに設定して、図１５のＦに進む。
【０１６８】
一方、現在実行機能フラグＦ_Ｕｓｅが前回実行機能フラグＦ_Ｕｓｅと一致したならば（ステップ１６０１でＹＥＳ）、現在実行機能フラグＦ_Ｕｓｅにより示される機能を実行中であって、メモリ空き容量Ｍ_Ｕｓｅを前回報知してからどれだけ時間が経過したかを計測する経過時間ｔが報知時間間隔Ｔ以上であるか否かを判断し（ステップ１６１８）、報知時間間隔Ｔ以上であれば（ステップ１６１８でＹＥＳ）、ユーザにメモリ空き容量Ｍ_Ｕｓｅの報知を行なうタイミングになったものとしてステップ１６０２に進む。また、報知時間間隔Ｔ未満であれば（ステップ１６１８でＮＯ）、図５のＦに進む。
【０１６９】
次に、図１７は、カメラ部１０３を用いてカメラ機能を実行中に、図１５及び図１６のフローチャートに基づいて、カメラ機能に割り当てられたメモリ容量Ｐ_Ｕｓｅのメモリ空き容量Ｍ_Ｕｓｅを報知した具体例を示す図である。なお、実施例１０では、携帯電話装置１００は開状態であるものとして、図１７では表示部１０６を用いてユーザにメモリ空き容量Ｍ_Ｕｓｅの報知を行なっている。
【０１７０】
まず、メモリ空き容量Ｍ_Ｕｓｅがカメラ機能に割り当てられたメモリ容量Ｐ_Ｕｓｅの５０％以上である場合（図１６のステップ１６０４でＮＯ）、例えば、図１７（ａ）に記載のように、カメラ撮影を行なうにあたってファインダーの役目を果たすカメラ機能実行中画面以外の背景色をＢｌｕｅで発光し、さらに、カメラ機能実行中画面の外側に「メモリ空き容量：５０％以上」及び「十分あります」という文字の表示を行なうことにより、報知時間間隔Ｔ_Ｂｌｕｅに基づいてメモリ空き容量Ｍ_Ｕｓｅをユーザに報知している。
【０１７１】
一方、メモリ空き容量Ｍ_Ｕｓｅが２５％以上５０％未満である場合（図１６のステップ１６０７でＮＯ）、例えば、図１７（ｂ）に記載のように、カメラ機能実行中画面以外の背景色をＧｒｅｅｎで発光し、さらに、カメラ機能実行中画面の外側に「メモリ空き容量：５０％以下」及び「残り半分以下です」という文字の表示を行なうことにより、報知時間間隔Ｔ_Ｇｒｅｅｎに基づいてメモリ空き容量Ｍ_Ｕｓｅをユーザに報知している。
【０１７２】
一方、メモリ空き容量Ｍ_Ｕｓｅが１０％以上２５％未満である場合（図１６のステップ１６１０でＮＯ）、例えば、図１７（ｃ）に記載のように、カメラ機能実行中画面以外の背景色をＹｅｌｌｏｗで発光し、さらに、カメラ機能実行中画面の外側に「メモリ空き容量：２５％以下」及び「残り少ないです」という文字の表示を行なうことにより、報知時間間隔Ｔ_Ｙｅｌｌｏｗに基づいてメモリ空き容量Ｍ_Ｕｓｅをユーザに報知している。
【０１７３】
一方、メモリ空き容量Ｍ_Ｕｓｅが１０％未満である場合（図１６のステップ１６１０でＹＥＳ）、例えば、図１７（ｄ）に記載のように、カメラ機能実行中画面以外の背景色をＲｅｄで発光し、さらに、カメラ機能実行中画面の外側に「メモリ空き容量：１０％以下」及び「記憶可能なカメラ画像はあと８件です」という文字及び数値による表示を行なうことにより、報知時間間隔Ｔ_Ｒｅｄに基づいてメモリ空き容量Ｍ_Ｕｓｅをユーザに報知している。なお、カメラ機能を実行しメモリ空き容量Ｍ_Ｕｓｅに記憶可能なカメラ画像の記憶可能件数を算出するには、例えば、まず、積算容量記憶用メモリ１１１から読み出した現在実行中の機能に割り当てられた積算容量Ｑ_Ｕｓｅを現在実行中の機能に割り当てられたメモリ容量Ｐ_Ｕｓｅに記憶されているカメラ画像の件数を用いて除算することにより、ユーザがカメラ機能を実行する場合に記憶する１件あたりのカメラ画像の平均記憶容量を算出する。次に、算出された平均記憶容量を用いてメモリ空き容量Ｍ_Ｕｓｅを除算することにより、カメラ画像の記憶可能件数を算出することができる。
【０１７４】
このように、実施例１０では、例えば、カメラ機能を有するカメラ部１０３、又はメール送受信機能やインターネットサーバ接続機能を有する回線接続部１０２等のデータ取得手段を用いることにより記憶されるユーザデータについて、機能毎にユーザデータを記憶するメモリ容量Ｐ_Ｕｓｅが割り当てられており、実行中の機能に割り当てられたメモリ容量Ｐ_Ｕｓｅに記憶可能なメモリ空き容量Ｍ_Ｕｓｅをユーザに報知するため、ユーザが特別に意識することなく、直感的、効果的、そして正確にメモリ空き容量Ｍ_Ｕｓｅを把握することができる。
【０１７５】
さらに、機能が実行されてさえいれば、携帯電話装置１００は、その機能に割り当てられたメモリ容量Ｐ_Ｕｓｅのメモリ空き容量Ｍ_Ｕｓｅをユーザに報知するため、例えば、カメラ機能を実行開始すると自動的にメモリ空き容量Ｍ_Ｕｓｅの報知が行なわれる。よって、カメラ機能を用いて撮像したカメラ画像を記憶する段階になってメモリ空き容量Ｍ_Ｕｓｅを報知し、その時にメモリ空き容量の不足をユーザが認識するものとは異なり、予め、ユーザは、時間的、そして精神的に余裕のある状態においてメモリ空き容量を報知される可能性が高く、メモリ１０５に記憶されているユーザデータの整理を落ち着いて行うことができる。
【０１７６】
なお、実施例１０では、メモリ空き容量Ｍ_Ｕｓｅが１０％未満の場合に、記憶可能件数を文字表示したが、メモリ空き容量Ｍ_Ｕｓｅの値が他のメモリ容量範囲内に属する場合にも記憶可能件数を文字表示するようにしてもよい。
【０１７７】
また、記憶可能件数を算出するにあたって、平均記憶容量を用いずに、携帯電話装置１００が、カメラ機能について扱うことが可能なカメラ画像の１件あたりの最大容量を用いてメモリ空き容量Ｍ_Ｕｓｅを除算することにより、カメラ画像の記憶可能件数を算出するようにしてもよい。
【０１７８】
また、実施例１０では、例えば、図１７に記載のように表示部１０６において、メモリ空き容量Ｍ_Ｕｓｅに応じてカメラ機能実行中画面の背景色を変更したが、メモリ空き容量Ｍ_Ｕｓｅに応じて発光色を設定せずに単に「メモリ空き容量：５０％以上」及び「十分あります」といった文字による表示のみをユーザが認識できるようなバックライトとしてもよい。すなわち、発光色を変化させなくても、機能を実行するにあたって、ユーザは表示部１０６を見る可能性が高いため、必ずしも発光色を変化させる必要はない。
【０１７９】
さらに、表示部１０６において、単に「メモリ空き容量：５０％以上」及び「十分あります」といった文字による表示のみをユーザが認識できるようなバックライトとする場合は、例えば、ＬＥＤ部１０８などがメモリ空き容量Ｍ_Ｕｓｅに応じた発光色により発光を行ないメモリ空き容量Ｍ_Ｕｓｅをユーザに報知するようにしてもよい。
【０１８０】
また、表示部１０６において、例えば、図１７（ａ）の場合、カメラ機能実行中画面の外側に、「メモリ空き容量：５０％以上」及び「十分あります」といった文字による表示を行なったが、例えば、表示部１０６の解像度が低い場合、ポップアップウィンドウによってカメラ機能実行中画面に被るように一定時間文字による表示するようにしてもよい。
【０１８１】
また、実施例１０では、携帯電話装置１００が開状態であり、表示部１０６にメモリ空き容量Ｍ_Ｕｓｅを報知する場合について説明したが、携帯電話装置１００が閉状態である場合、例えば、背面表示部１００をファインダーとしてカメラ機能を実行し被写体を撮像する場合は、背面表示部１００にメモリ空き容量Ｍ_Ｕｓｅを報知するようにしてもよい。
【０１８２】
また、実施例１０では、機能毎にメモリ容量Ｐ_Ｕｓｅが割り当てられていたが、例えば、カメラ機能を有するカメラ部１０３、又はメール送受信機能やインターネットサーバ接続機能を有する回線接続部１０２等のデータ取得手段を用いることにより記憶されるユーザデータについて、各機能が共通のメモリを使用してもよい。この場合、その共通のメモリのメモリ全体容量Ｐに対して機能毎にメモリ空き容量Ｍにユーザデータを記憶可能な記憶可能件数を算出し、例えば、実施例１の図６のステップ６１６において、メモリ空き容量Ｍに応じた発光色の発光とともに、表示部１０６を用いて、図１８（ａ）に記載の文字及び数値による表示、図１８（ｂ）に記載の文字、アイコン及び数値による表示、図１８（ｃ）に記載のアイコン及び数値による表示、又は図１８（ｄ）に記載のアイコンによる表示のように、メモリ空き容量Ｍの報知を行なってもよい。なお、この場合、機能毎にメモリ空き容量Ｍにユーザデータを記憶可能な記憶可能件数を算出するには、実施例１０と同様の算出方法を用いればよい。
【０１８３】
また、実施例１０の図１７（ｄ）における文字及び数値による記憶可能件数の表示に変えて、例えば、図１８（ｂ）乃至図１８（ｄ）に記載のように、文字、アイコン、又は数値のうち少なくとも１つを用いることにより、現在実行中の機能に割り当てられたメモリ容量Ｐ_Ｕｓｅのメモリ空き容量Ｍ_Ｕｓｅをユーザに報知するようにしてもよい。
【０１８４】
また、以上の全ての実施例において、例えば、携帯電話装置１００が閉状態から開状態に状態が変化したことを検出した時に最新のメモリ空き容量Ｍを検出し、例えば、表示部１０６やＬＥＤ部１０８等を用いてユーザにメモリ空き容量Ｍを報知するようにしてもよい。また、携帯電話装置１００が開状態から閉状態に状態が変化したことを検出した時に最新のメモリ空き容量Ｍを検出し、例えば、背面表示部１０７やＬＥＤ部１０８等を用いてユーザにメモリ空き容量Ｍを報知するようにしてもよい。なお、以上の実施例においては、携帯電話装置１００は、図２に示すように折り畳み型であるが、ターン型の携帯電話装置を用いてもよい。
【０１８５】
また、以上の全ての実施例において、例えば、携帯電話装置１００がバッテリーの消耗を節約するために表示部１０６や背面表示部１０７のバックライトを消灯したスタンバイ状態である場合、ユーザによる操作部１０１の操作に基づいて、スタンバイ状態から通常使用状態へ状態が変化したことを検出した時に最新のメモリ空き容量Ｍを検出し、ユーザに報知するようにしてもよい。
【０１８６】
また、以上の全ての実施例において、例えば、携帯電話装置１００が電源ＯＦＦ状態である場合、ユーザによる操作部１０１の操作に基づいて、電源ＯＦＦ状態から電源ＯＮ状態へ状態が変化したことを検出した時に最新のメモリ空き容量Ｍを検出し、ユーザに報知するようにしてもよい。
【０１８７】
また、以上の全ての実施例において、例えば、携帯電話装置１００に外部メモリ１２５が電気的に接続されたことを検出した時に外部メモリ１２５の最新のメモリ空き容量Ｍを検出し、ユーザにメモリ空き容量Ｍを報知するようにしてもよい。また、携帯電話装置１００から外部メモリ１２５が電気的に切断されたことを検出した時に内部メモリ１１５の最新のメモリ空き容量Ｍを検出し、ユーザにメモリ空き容量Ｍを報知するようにしてもよい。
【０１８８】
また、以上の全ての実施例において、メモリ空き容量に応じて決定される発光色については色相を変更するものとしているが、例えば、彩度又は明度等を変更するようにしてもよい。
【産業上の利用可能性】
【０１８９】
本発明のメモリ空き容量報知機能は、携帯電話装置１００に限らず、例えば、内部メモリ又は外部メモリのうち少なくともどちらかのメモリを備え、かつ、メモリ空き容量Ｍを報知するために必要な表示部、背面表示部、ＬＥＤ部、スピーカ部、又は振動部のうち少なくとも１つの報知手段を有するＰＤＡ（Ｐｅｒｓｏｎａｌ  Ｄｉｇｉｔａｌ  Ａｓｓｉｓｔａｎｔｓ）、パーソナルコンピュータ、ディジタルスチルカメラ、カーナビゲーション機器、又はシリコンオーディオプレーヤ等の電子機器に適用することが可能である。
【図面の簡単な説明】
【０１９０】
【図１】本発明の携帯電話装置１００の構成を示すブロック図である。
【図２】図１に示した携帯電話装置１００の外観を示す外観図である。
【図３】本発明を実施するための最良の形態及び実施例１において、メモリ１０５のメモリ空き容量をユーザに報知するための動作の概要を説明するためのフローチャート図である。
【図４】本発明の実施例１、実施例２、及び実施例４乃至実施例１０において、メモリ空き容量Ｍを固定の検出タイミングにより検出する動作を説明するためのフローチャート図である。
【図５】本発明の実施例１乃至実施例１０において、検出されたメモリ空き容量Ｍを報知する動作を説明するためのフローチャート図である。
【図６】本発明の実施例１乃至５、及び実施例９において、検出されたメモリ空き容量Ｍを報知する動作を説明するためのフローチャート図である。
【図７】図４乃至図６の動作に係るメモリ空き容量Ｍを検出するタイミング及び報知するタイミングを説明するための図である。
【図８】本発明の実施例２及び実施例３において、検出されたメモリ空き容量Ｍを報知する動作を説明するためのフローチャート図である。
【図９】本発明の実施例３乃至実施例９において、メモリ１０５のメモリ空き容量Ｍを検出するタイミングを決定する動作を説明するためのフローチャート図である。
【図１０】図９の動作に係るメモリ空き容量Ｍを検出するタイミングを説明するための図である。
【図１１】本発明の実施例５乃至実施例７において、検出されたメモリ空き容量Ｍの報知を行なう動作を説明するためのフローチャート図である。
【図１２】本発明の実施例５において、メモリ空き容量Ｍの報知手段の変更例を示す図である。
【図１３】本発明の実施例７及び実施例８において、検出されたメモリ空き容量Ｍの報知を行なう動作を説明するためのフローチャート図である。
【図１４】本発明の実施例８において、メモリ空き容量Ｍがメモリ１０５のメモリ全体容量Ｐの１０％未満における背面表示部１０７の発光色の発光面積の変化を具体的に表した図である。
【図１５】本発明の実施例１０において、実施例実行中の機能に割り当てられたメモリ容量Ｐ_Ｕｓｅのメモリ空き容量Ｍ_Ｕｓｅを報知する動作を説明するためのフローチャート図である。
【図１６】本発明の実施例１０において、実施例実行中の機能に割り当てられたメモリ容量Ｐ_Ｕｓｅのメモリ空き容量Ｍ_Ｕｓｅを報知する動作を説明するためのフローチャート図である。
【図１７】図１５及び図１６のフローチャートを基づいて、カメラ機能に割り当てられたメモリ容量Ｐ_Ｕｓｅのメモリ空き容量Ｍ_Ｕｓｅを報知した具体例を示す図である。
【図１８】各機能が共通メモリを用いた場合のメモリ空き容量Ｍを報知した具体例を示す図である。
【符号の説明】
【０１９１】
１００    携帯電話装置
１０１    操作部
１０２    回線接続部
１０３    カメラ部
１０４    マイク部
１０５    メモリ
１０６    表示部
１０７    背面表示部
１０８    ＬＥＤ部
１０９    スピーカ部
１１０    振動部
１１１    積算容量記憶用メモリ
１１２    制御回路部
１１５    内部メモリ
１２５    外部メモリ
２０１    アンテナ部
【図１】
2005286476.tif 000003
【図２】
2005286476.tif 000004
【図３】
2005286476.tif 000005
【図４】
2005286476.tif 000006
【図５】
2005286476.tif 000007
【図６】
2005286476.tif 000008
【図７】
2005286476.tif 000009
【図８】
2005286476.tif 000010
【図９】
2005286476.tif 000011
【図１０】
2005286476.tif 000012
【図１１】
2005286476.tif 000013
【図１２】
2005286476.tif 000014
【図１３】
2005286476.tif 000015
【図１４】
2005286476.tif 000016
【図１５】
2005286476.tif 000017
【図１６】
2005286476.tif 000018
【図１７】
2005286476.tif 000019
【図１８】
2005286476.tif 000020